(57)【要約】  電力価格情報取得部（１１４）は、商用電源から提供される電力を使用して電気機器を稼動させたときの電気代である買電価格に関する情報を取得し、価格決定部（１００）は、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定し、ユーザ価格表生成部（１０７）は、買電価格、発電電力価格、及び蓄電電力価格を任意の時間帯について表示可能な電力価格表を生成する。
2013094146.tif 000002
【特許請求の範囲】
【請求項１】
商用電源から供給される電力を使用して電気機器を稼動させたときの電気代である買電価格に関する情報を取得する取得部と、
自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、
前記買電価格、前記発電電力価格及び前記蓄電電力価格を任意の時間帯について表示可能な電力価格表を生成する電力価格表生成部と、
を備えることを特徴とする情報処理装置。
【請求項２】
前記取得部は、さらに、前記発電装置の運転履歴と、前記蓄電装置の運転履歴とを取得し、
前記情報処理装置は、
前記取得部によって取得された前記発電装置の前記運転履歴を用いて前記発電装置の発電量を予測する発電量予測部と、
前記取得部によって取得された前記蓄電装置の前記運転履歴を用いて前記蓄電装置の運転計画を生成する運転計画生成部と、をさらに備え、
前記価格決定部は、
前記発電量予測部によって予測された前記発電量の予測値を用いて、前記発電電力価格を予測する発電価格予測部と、
前記取得部によって取得された前記買電価格と、前記発電価格予測部によって予測された前記発電電力価格と、前記運転計画生成部によって生成された前記蓄電装置の前記運転計画とに基づいて、前記蓄電電力価格を予測する蓄電価格予測部と、を備える
請求項１に記載の情報処理装置。
【請求項３】
前記電力価格表生成部は、
前記取得部によって取得された前記買電価格、前記発電価格予測部によって予測された前記発電電力価格、及び前記蓄電価格予測部によって予測された前記蓄電電力価格の中で最も安価な価格を指定された時間帯について表す電力価格表を生成する
請求項２に記載の情報処理装置。
【請求項４】
前記電力価格表生成部は、さらに、前記最も安価な価格を所定の使用電力量ごとに表す電力価格表を生成する、
請求項３に記載の情報処理装置。
【請求項５】
前記電力価格表生成部は、前記商用電源から供給される電力、前記発電装置によって発電された電力、及び前記蓄電装置に蓄電されている電力のうちで、より安価な電力が優先的に使用される場合における電力価格を所定の時間帯ごとに表す電力価格表を生成する、
請求項３又は４記載の情報処理装置。
【請求項６】
前記取得部は、ユーザ宅内にある電気機器が使用する電力の使用履歴を取得し、
前記取得部によって取得された前記使用履歴を用いて前記ユーザ宅内にある電気機器の電力需要を予測する需要予測部をさらに備え、
前記電力価格表生成部は、前記需要予測部によって予測された前記ユーザ宅内にある電気機器の電力需要の予測結果を前記電力価格表に重畳させる、
請求項２〜５のいずれかに記載の情報処理装置。
【請求項７】
前記電力価格表生成部は、ユーザ宅内にある電気機器のうち、動作時間をずらすことが可能な対象電気機器を動作させるために必要な電力、前記対象電気機器を動作させる動作時間及び前記対象電気機器を示す情報を、前記電力需要の予測結果とともに前記電力価格表に重畳させる、
請求項６に記載の情報処理装置。
【請求項８】
前記電力価格表生成部は、前記対象電気機器の動作時間が変更された場合、前記対象電気機器の変更後の動作時間を示す情報を、前記電力需要の予測結果とともに前記電力価格表に重畳させる、
請求項７に記載の情報処理装置。
【請求項９】
前記電力価格表生成部は、前記電力価格表の前記電力需要の予測結果に対応する部分の電力価格を前記所定の時間帯よりもさらに細かな時間帯ごとに表す、
請求項６〜８のいずれかに記載の情報処理装置。
【請求項１０】
前記電力価格表生成部は、前記発電量予測部によって予測された前記発電装置の発電量及び前記運転計画生成部によって生成された前記蓄電装置の運転計画に基づいて、前記発電装置が発電しない時間帯及び前記蓄電装置が放電しない時間帯については、前記買電価格を前記電力価格表に表し、前記発電装置及び前記蓄電装置のいずれか一方が動作する時間帯については、当該動作する装置の電力、及び前記商用電源から供給される電力のうちで、より安価な電力価格を前記電力価格表に表す、
請求項２〜９のいずれかに記載の情報処理装置。
【請求項１１】
前記電力価格表生成部は、前記買電価格、前記発電電力価格、及び前記蓄電電力価格をそれぞれ異なる色で色分けした前記電力価格表を生成する、
請求項１〜１０のいずれかに記載の情報処理装置。
【請求項１２】
表示部を備える機器に前記電力価格表生成部によって生成された前記電力価格表を送信する送信部をさらに備える、
請求項１〜１１のいずれかに記載の情報処理装置。
【請求項１３】
前記電力価格表生成部によって生成された前記電力価格表を表示する表示部をさらに備える、
請求項１〜１２のいずれかに記載の情報処理装置。
【請求項１４】
商用電源から供給される電力を使用して電気機器を稼動させたときの電気代である買電価格に関する情報を取得するステップと、
自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定するステップと、
前記買電価格、前記発電電力価格及び前記蓄電電力価格を任意の時間帯について表示可能な電力価格表を生成するステップと、
を含むことを特徴とする電力価格表の生成方法。
【請求項１５】
情報処理装置と、前記情報処理装置とネットワークを介して通信可能に接続された表示装置とを備える情報処理システムであって、
前記情報処理装置は、
商用電源から供給される電力を使用して電気機器を稼動させたときの電気代である買電価格に関する情報を取得する取得部と、
自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、
前記買電価格、前記発電電力価格及び前記蓄電電力価格を任意の時間帯について表示可能な電力価格表を生成する電力価格表生成部と、
前記電力価格表生成部によって生成された前記電力価格表を、前記ネットワークを介して前記表示装置に送信する送信部と、
を備え、
前記表示装置は、
前記ネットワークを介して前記電力価格表を受信する受信部と、
前記電力価格表生成部によって生成された前記電力価格表を表示する表示部と、
を備えることを特徴とする情報処理システム。
【請求項１６】
商用電源から供給される電力を使用して電気機器を稼動させたときの電気代である買電価格に関する情報を取得する取得部と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、前記買電価格、前記発電電力価格、及び、前記蓄電電力価格を任意の時間帯について表示可能な電力価格表を生成する電力価格表生成部と、を備える情報処理装置とネットワークを介して通信可能に接続された表示装置であって、
前記表示装置は、
前記ネットワークを介して前記電力価格表を受信する受信部と、
前記受信部で受信した前記電力価格表を表示する表示部と、
を備えることを特徴とする表示装置。
【請求項１７】
前記表示装置は、
前記表示部に表示された前記電力価格表の中から、各時間帯について前記商用電源、前記発電装置、及び前記蓄電装置のいずれの電力を使用するかを受付ける入力部と、
前記入力部によって指定された電力の使用を前記情報処理装置に通知するための通知信号を、前記ネットワークを介して送信する送信部とを、さらに備える、
請求項１６記載の表示装置。
【請求項１８】
前記入力部は、ユーザのタッチパネルの操作によりいずれの電力を使用するかを検出する、
請求項１７に記載の表示装置。
【請求項１９】
前記入力部は、外部のリモートコントローラから送信される外部信号を受信することによりいずれの電力を使用するかを検出する、
請求項１７に記載の表示装置。
【発明の詳細な説明】
【技術分野】
【０００１】
本発明は、商用電源から供給される電力を使用したときの電力価格、発電装置で発電された電力を使用したときの電力価格、及び蓄電装置に蓄電されている電力を使用したときの電力価格を表示するための電力価格表を生成する情報処理装置、電力価格表の生成方法、情報処理システム及び表示装置に関するものである。
【背景技術】
【０００２】
近年、住宅に発電装置又は蓄電池を導入するとともに、家電機器の動作を最適化することにより、省エネルギー及び省コストを実現するホーム・エネルギー・マネジメント・システムが提案されている。【０００３】
また、予め決められた家電機器の動作時間を、コストメリットが最も高い時間帯、すなわち電気料金が最も安い時間帯に変更するシステムも提案されている。【０００４】
例えば、特許文献１では、各電気機器の運転開始時刻の組み合わせの全パターンについての総収支を計算する。そして、総収支が最大となる電気機器、つまり最も大きな利益の得られるような電気機器の運転開始時刻の組み合わせを抽出し、抽出した組み合わせをスケジューリング結果として設定している。【０００５】
また、特許文献２では、電力料金の単価が最も安価な時間帯に充電を行うように蓄電池の充電スケジュールを算出するとともに、電力料金の単価が最も高価な時間帯に放電を行うように蓄電池の放電スケジュールを算出している。【０００６】
しかしながら、従来のシステムでは、家電機器の動作時間がユーザにとっては不便な時間帯に変更されてしまい、結果的にユーザの利便性を損なう場合があった。【０００７】
例えば、特許文献１で得られるスケジューリング結果は、最も大きな利益を得られる可能性が高いが、ユーザの利便性を損なう可能性も高い。そのため、ユーザの利便性とユーザの利益とを両立したスケジュールを作成することが困難であった。【０００８】
また、特許文献２では、太陽光発電装置によって発電された電力を蓄電池に蓄電するか否かを、発電電力の売買単価と時間帯毎の電力料金単価とを比較することにより判断している。そのため、ユーザの利便性については特に考慮されておらず、ユーザの利便性とユーザの利益とを両立した充電スケジュール及び放電スケジュールを作成することが困難であった。
【先行技術文献】
【特許文献】
【０００９】
【特許文献１】特開２００８−２１１５２号公報
【特許文献２】特開２０１０−２３３３６２号公報
【発明の概要】
【００１０】
本発明は、上記の問題を解決するためになされたもので、ユーザの利便性とユーザの利益とを両立させる電力価格表を生成する情報処理装置、電力価格表の生成方法、情報処理システム及び表示装置を提供することを目的とするものである。
【００１１】
本発明の一実施の形態に係る情報処理装置は、商用電源から供給される電力を使用して電気機器を稼動させたときの電気代である買電価格に関する情報を取得する取得部と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、前記買電価格、前記発電電力価格及び前記蓄電電力価格を任意の時間帯について表示可能な電力価格表を生成する電力価格表生成部と、を備える。
【００１２】
この構成によれば、商用電源から供給される電力を使用して電気機器を稼動させたときの電気代である買電価格と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを任意の時間帯について表示可能な電力価格表が生成されるので、ユーザは、生成された電力価格表を確認することにより、より電気代を低減することが可能な時間帯を把握することができる。このため、ユーザの利便性とユーザの利益とを両立させる電力価格表を生成することができる。
【００１３】
なお、本発明は、このような情報処理装置として実現できるだけでなく、情報処理装置に含まれる特徴的な手段をステップとする電力価格表の生成方法、或いは、そのような特徴的なステップをコンピュータに実行させるプログラムとして実現することもできる。
【００１４】
また、本発明は、このような情報処理装置を含む電圧制御システムとして実現することもできる。
【００１５】
本態様によれば、商用電源から供給される電力を使用して電気機器を稼動させたときの電気代である買電価格と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを任意の時間帯について表示可能な電力価格表が生成されるので、ユーザは、生成された電力価格表を確認することにより、より電気代を低減することが可能な時間帯を把握することができる。このため、ユーザの利便性とユーザの利益とを両立させる電力価格表を生成することができる。
【００１６】
本発明の目的、特徴及び利点は、以下の詳細な説明と添付図面とによって、より明白となる。
【図面の簡単な説明】
【００１７】
【図１】本発明の実施の形態１に係る情報処理システムの構成を示す図である。
【図２】本発明の実施の形態１に係るエネルギー管理装置の簡略化した動作について説明するためのフローチャートである。
【図３】本発明の実施の形態１に係るエネルギー管理装置のより詳細な動作について説明するためのフローチャートである。
【図４】本発明の実施の形態１における蓄電装置の電力価格を算出する方法について説明するための図である。
【図５】本発明の実施の形態１におけるユーザ価格表を生成する処理について説明するための第１のフローチャートである。
【図６】本発明の実施の形態１におけるユーザ価格表を生成する処理について説明するための第２のフローチャートである。
【図７】本発明の実施の形態１におけるユーザ価格表を生成する処理について説明するための第３のフローチャートである。
【図８】本発明の実施の形態１におけるユーザ価格表を生成する処理について説明するための図である。
【図９】本発明の実施の形態１における、発電装置の発電量の時間変化、蓄電装置の充放電計画及び宅内電力需要の一例を示す図である。
【図１０】本発明の実施の形態１におけるユーザ価格表の一例を示す図である。
【図１１】本発明の実施の形態１に係るユーザ端末の動作について説明するためのフローチャートである。
【図１２】実施の形態１において、運転時間が変更される前のユーザ価格表の一例を示す図である。
【図１３】実施の形態１において、運転時間を変更する際、及び、運転時間が変更された後のユーザ価格表の一例を示す図である。
【図１４】本発明の実施の形態１の変形例に係る情報処理システムの構成を示す図である。
【図１５】本発明の実施の形態２に係る情報処理システムの構成を示す図である。
【図１６】本発明の実施の形態２に係るエネルギー管理装置の動作について説明するためのフローチャートである。
【図１７】本発明の実施の形態２において生成されるユーザ価格表の一例を示す図である。
【図１８】本発明の実施の形態３に係る情報処理システムの構成を示す図である。
【図１９】本発明の実施の形態３に係るエネルギー管理装置の動作について説明するためのフローチャートである。
【図２０】本発明の実施の形態３における、発電装置の発電量の時間変化、蓄電装置の充放電計画及び宅内電力需要の一例を示す図である。
【図２１】本発明の実施の形態３におけるユーザ価格表の一例を示す図である。
【図２２】本発明の実施の形態３の変形例における、発電装置の発電量の時間変化、蓄電装置の充放電計画及び宅内電力需要の一例を示す図である。
【図２３】本発明の実施の形態３の変形例におけるユーザ価格表の一例を示す図である。
【図２４】本発明の実施の形態４に係る情報処理システムの構成を示す図である。
【図２５】本発明の実施の形態４に係るエネルギー管理装置の動作について説明するためのフローチャートである。
【図２６】本発明の実施の形態４におけるユーザ価格表の一例を示す図である。
【発明を実施するための形態】
【００１８】
以下、添付図面を参照しながら、本発明の実施の形態について説明する。なお、以下の実施の形態は、本発明を具体化した一例であって、本発明の技術的範囲を限定するものではない。以下の実施の形態で示される数値、形状、構成要素、構成要素の配置位置及び接続形態、ステップの順序などは、一例である。したがって、これらの各形態により、本発明が限定されるものではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではなく、本発明の実施の形態の一例として説明される。
【００１９】
（実施の形態１）
図１は、本発明の実施の形態１に係る情報処理システムの構成を示す図である。図１に示す情報処理システム１は、エネルギー管理装置１０、蓄電装置１１、発電装置１２、気象情報サーバ１３、電力価格情報サーバ１４、使用電力計測装置１５、ユーザ端末１６及び電気機器１７を備える。
【００２０】
商用電源１８は、電力会社によって運営され、各家庭へ電力を供給するとともに、各家庭から電力を買い取る。
【００２１】
蓄電装置１１は、ユーザ宅に配置され、蓄電池を備え、蓄電池に電力を蓄える。蓄電装置１１は、商用電源１８から供給される電力及び発電装置１２によって発電される電力を蓄電池に蓄えるとともに、蓄電池に蓄えられた電力を電気機器１７に供給する。
【００２２】
発電装置１２は、ユーザ宅に配置され、自然エネルギーを利用して発電する。発電装置１２は、例えば太陽光発電装置で構成される。太陽光発電装置は、自然エネルギーである太陽エネルギーを電力に変換するソーラーパネルを備える。発電装置１２は、自然エネルギーを利用して発電した電力を電気機器１７、蓄電装置１１及び商用電源１８に供給する。発電装置１２は、自然エネルギーを利用して発電した電力を売電する場合、電力を商用電源１８に供給する。
【００２３】
気象情報サーバ１３は、将来の気象を予測した気象予測情報を記憶しており、気象予測情報をエネルギー管理装置１０に送信する。なお、気象予測情報は、例えば翌日の所定時間毎の天気を表す情報であり、１時間毎の天気を表す情報であることが好ましい。
【００２４】
電力価格情報サーバ１４は、商用電源１８から供給される電力の価格を表す電力価格情報を記憶しており、電力価格情報をエネルギー管理装置１０に送信する。電力価格情報は、商用電源１８から電力を買う場合の価格を表す買電価格情報と、商用電源１８に電力を売る場合の価格を表す売電価格情報とを含む。なお、買電価格情報及び売電価格情報は、例えば１時間毎の価格を表している。
【００２５】
使用電力計測装置１５は、複数の電力センサを備え、電気機器１７の使用電力、及び商用電源１８から供給される電力を計測して記憶する。使用電力計測装置１５は、計測した使用電力を表す使用電力情報をエネルギー管理装置１０へ送信する。
【００２６】
エネルギー管理装置１０と、蓄電装置１１、発電装置１２、気象情報サーバ１３、電力価格情報サーバ１４、使用電力計測装置１５、ユーザ端末１６及び電気機器１７とは、無線又は有線により形成されたネットワークを介して、互いに通信可能に接続されている。
【００２７】
エネルギー管理装置１０は、情報取得部１０１、発電予測部１０２、発電価格予測部１０３、充放電計画生成部１０４、蓄電価格予測部１０５、宅内電力需要予測部１０６、ユーザ価格表生成部１０７、機器制御部１０８及び通信部１３０を備える。
【００２８】
情報取得部１０１は、商用電源から供給される電力を使用して電気機器を稼動させたときの電気代である買電価格に関する情報を取得する。情報取得部１０１は、商用電源１８から電力を買うときの買電価格と、商用電源１８に電力を売るときの売電価格と、自然エネルギーを利用して発電する発電装置１２の運転履歴と、気象予測情報と、蓄電池に電力を蓄える蓄電装置１１の運転履歴とを取得する。また、情報取得部１０１は、ユーザ宅内にある各電気機器が使用する電力の使用履歴（使用電力情報）を取得する。
【００２９】
情報取得部１０１は、発電運転履歴情報取得部１１１、気象予測情報取得部１１２、蓄電運転履歴情報取得部１１３、電力価格情報取得部１１４及び使用電力情報取得部１１５を備える。
【００３０】
発電運転履歴情報取得部１１１は、発電装置１２の運転履歴を表す運転履歴情報を発電装置１２から取得する。気象予測情報取得部１１２は、気象予測情報を気象情報サーバ１３から取得する。蓄電運転履歴情報取得部１１３は、蓄電装置１１の運転履歴を表す運転履歴情報を蓄電装置１１から取得する。電力価格情報取得部１１４は、電力価格情報を電力価格情報サーバ１４から取得する。使用電力情報取得部１１５は、使用電力情報を使用電力計測装置１５から取得する。
【００３１】
発電予測部１０２は、発電運転履歴情報取得部１１１によって取得された発電装置１２の運転履歴情報と、気象予測情報取得部１１２によって取得された気象予測情報とを用いて発電装置１２の所定の時間帯ごとの発電量を予測する。
【００３２】
発電価格予測部１０３は、発電予測部１０２によって予測された所定の時間帯ごとの発電量と、電力価格情報取得部１１４によって取得された電力価格情報に含まれる売電価格情報とを用いて、発電装置１２によって発電された電力の運用計画である発電電力運用計画を生成し、発電装置１２で発電された電力の使用電力量に対する電力価格を所定の時間帯ごとに予測する。
【００３３】
ここで、発電電力運用計画とは、発電された電力の「電気機器による使用」、「商用電源１８への売電」、「蓄電装置１１への蓄電」の３つの用途に対する電力の配分計画である。
【００３４】
宅内電力需要予測部１０６は、使用電力情報取得部１１５によって取得された使用電力情報を用いてユーザ宅内にある電気機器１７の宅内電力需要を予測する。宅内電力需要予測部１０６は、例えば、過去の同じ曜日の日に使用された電力量に基づいて、または、当日に使用された電力量に基づいて、翌日の宅内電力需要を予測する。
【００３５】
充放電計画生成部１０４は、蓄電運転履歴情報取得部１１３によって取得された蓄電装置１１の運転履歴情報、電力価格情報取得部１１４によって取得された電力価格情報に含まれる買電価格情報、宅内電力需要予測部１０６によって予測された宅内電力需要及び発電価格予測部１０３が生成した発電電力運用計画に基づく発電された電力の「蓄電装置１１への蓄電」への配分量を基に蓄電装置１１の充電及び放電に関する運転計画を生成する。なお、充放電計画生成部１０４は、蓄電運転履歴情報取得部１１３によって取得された蓄電装置１１の運転履歴情報のみを用いて蓄電装置１１の運転計画を生成してもよい。充放電計画生成部１０４は、例えば、過去の同じ曜日の日の運転履歴に基づいて、または、当日の運転履歴に基づいて、翌日の充放電計画を予測する。
【００３６】
蓄電価格予測部１０５は、電力価格情報取得部１１４によって取得された電力価格情報に含まれる買電価格情報と、発電価格予測部１０３によって予測された発電装置１２により発電された電力の電力価格と、充放電計画生成部１０４によって生成された蓄電装置１１の運転計画に基づく蓄電装置１１に充電又は放電される電力量とを基に、蓄電装置１１に蓄電されている電力を使用したときの使用電力量に対する電力価格を所定の時間帯ごとに予測する。
【００３７】
なお、価格決定部１００は、発電予測部１０２、発電価格予測部１０３、充放電計画生成部１０４、蓄電価格予測部１０５及び宅内電力需要予測部１０６により構成される。価格決定部１００は、自然エネルギーを利用して発電する発電装置１２の発電電力を使用して電気機器１７を稼動させたときの電気代である発電電力価格と、蓄電装置１１に蓄電されている電力を使用して電気機器１７を稼動させたときの電気代である蓄電電力価格とを各時間帯について決定する。
【００３８】
ユーザ価格表生成部１０７は、電力価格情報取得部１１４によって取得された電力価格情報に含まれる買電価格情報、発電価格予測部１０３によって予測された発電装置１２で発電された電力を使用したときの電力価格、及び蓄電価格予測部１０５によって予測された蓄電装置１１に蓄電されている電力を使用したときの電力価格を基に、電気機器１７によって使用される電力の価格を所定の使用電力量ごと及び所定の時間帯ごとに表すユーザ価格表を生成する。
【００３９】
このとき、ユーザ価格表生成部１０７は、発電価格予測部１０３が生成した発電電力運用計画に基づく発電された電力の「電気機器による使用」への配分量と、充放電計画生成部１０４が生成した充放電計画が示す放電量を加味してユーザ価格表を生成する。
【００４０】
ユーザ価格表生成部１０７は、買電価格、発電電力価格及び蓄電電力価格を任意の時間帯について表示可能なユーザ価格表を生成する。ユーザ価格表生成部１０７は、情報取得部１０１によって取得された買電価格、発電価格予測部１０３によって予測された発電電力価格、及び蓄電価格予測部１０５によって予測された蓄電電力価格の中で最も安価な価格を指定された時間帯について表すユーザ価格表を生成する。
【００４１】
ユーザ価格表生成部１０７は、商用電源１８から供給される電力、発電装置１２で発電された電力、及び蓄電装置１１に蓄電されている電力のうちで、より安価な電力が優先的に使用される場合における電力価格を所定の使用電力量ごと及び所定の時間帯ごとに表すユーザ価格表を生成する。
【００４２】
本実施の形態では、発電装置１２で発電された電力の電力価格が最も安価で、２番目に安価なのが蓄電装置１１に蓄電されている電力、３番目に安価なのが商用電源１８から供給される電力とし、発電装置１２で発電された電力、蓄電装置１１に蓄電されている電力、商用電源１８から供給される電力の順に優先的に電気機器１７によって使用されるものとする。
【００４３】
さらに、ユーザ価格表生成部１０７は、宅内電力需要予測部１０６によって予測された宅内電力需要の予測結果をユーザ価格表に重畳させる。さらにまた、ユーザ価格表生成部１０７は、ユーザ宅内にある電気機器のうち、動作時間をずらすことが可能な対象電気機器を動作させるために必要な電力、対象電気機器を動作させる動作時間及び対象電気機器を示す情報を、宅内電力需要の予測結果とともにユーザ価格表に重畳させる。
【００４４】
通信部１３０は、ユーザ価格表生成部１０７によって生成されたユーザ価格表をユーザ端末１６へ送信する。
【００４５】
機器制御部１０８は、電気機器１７を制御するための制御信号を電気機器１７へ送信する。
【００４６】
ユーザ端末１６は、例えば携帯電話機、パーソナルコンピュータ又は表示装置で構成され、ユーザ価格表取得部１６１、ユーザ価格表表示部１６２及び運転時間変更受付部１６３を備える。
【００４７】
ユーザ価格表取得部１６１は、エネルギー管理装置１０のユーザ価格表生成部１０７によって作成されたユーザ価格表を取得する。ユーザ価格表取得部１６１は、ネットワークを介してユーザ価格表を受信する。ユーザ価格表表示部１６２は、例えば液晶表示装置で構成され、ユーザ価格表取得部１６１によって取得されたユーザ価格表を表示する。ユーザ価格表表示部１６２は、ユーザ価格表取得部１６１で受信したユーザ価格表を表示する。
【００４８】
運転時間変更受付部１６３は、例えば操作ボタン、タッチパネル、キーボード及びマウスなどで構成され、電気機器１７の運転時間の変更を受け付ける。電気機器１７には、運転時間を変更することが可能な電気機器と、運転時間を変更することができない運転機器とがあり、ユーザ価格表表示部１６２は、運転時間を変更することが可能な電気機器の使用電力量を識別可能に表示する。運転時間変更受付部１６３は、運転時間を変更することが可能な電気機器１７の運転時間の変更を受け付ける。
【００４９】
運転時間変更受付部１６３は、運転時間変更受付部１６３によって変更された運転時間を表す運転予定情報をエネルギー管理装置１０へ送信する。通信部１３０は、運転時間変更受付部１６３によって送信された運転予定情報を受信し、機器制御部１０８が受信した運転予定情報に基づいて電気機器１７を制御して運転時間を変更する。また、ユーザ価格表表示部１６２は、電気機器１７の動作時間が変更された場合、運転時間変更受付部１６３によって受け付けられた電気機器１７の変更後の運転時間を示す情報を、宅内電力需要の予測結果とともにユーザ価格表に重畳させる。
【００５０】
なお、ユーザ端末１６は、ユーザ価格表表示部１６２に表示されたユーザ価格表の中から、各時間帯について商用電源１８、発電装置１２、及び蓄電装置１１のいずれの電力を使用するかを受付ける入力部と、入力部によって指定された電力の使用をエネルギー管理装置１０に通知するための通知信号を、ネットワークを介して送信する送信部とを備えてもよい。この場合、入力部は、ユーザのタッチパネルの操作によりいずれの電力を使用するかを検出してもよい。また、入力部は、外部のリモートコントローラから送信される外部信号を受信することによりいずれの電力を使用するかを検出してもよい。
【００５１】
電気機器１７は、例えば、テレビ、冷蔵庫、洗濯乾燥機、炊飯器、電気給湯機及び食器洗い機などの家電機器である。なお、電気機器１７は、住設機器、住環境を測定及び検知するセンサなども含めた、家庭内で使用される電化製品である。また、図１では、１つの電気機器１７がエネルギー管理装置１０に接続されているが、家庭内にある複数の電気機器がエネルギー管理装置１０に接続される。
【００５２】
また、その中でも、動作時間をずらすことが可能な対象電気機器は、例えば、洗濯乾燥機、炊飯器、電気給湯機及び食器洗い機などの家電機器である。
【００５３】
なお、本実施の形態１において、情報取得部１０１が取得部の一例に相当し、発電予測部１０２が発電予測部の一例に相当し、発電価格予測部１０３が発電価格予測部の一例に相当し、充放電計画生成部１０４が運転計画生成部の一例に相当し、蓄電価格予測部１０５が蓄電価格予測部の一例に相当し、ユーザ価格表生成部１０７が電力価格表生成部の一例に相当し、宅内電力需要予測部１０６が需要予測部の一例に相当し、通信部１３０が送信部の一例に相当する。
【００５４】
次に、実施の形態１に係るエネルギー管理装置１０の簡略化した動作について説明する。
【００５５】
図２は、本発明の実施の形態１に係るエネルギー管理装置の簡略化した動作について説明するためのフローチャートである。
【００５６】
まず、ステップＳ１において、情報取得部１０１は、商用電源１８から電力を買うときの買電価格と、商用電源１８に電力を売るときの売電価格と、自然エネルギーを利用して発電する発電装置１２の運転履歴と、蓄電池に電力を蓄える蓄電装置１１の運転履歴とを取得する。
【００５７】
次に、ステップＳ２において、発電予測部１０２は、情報取得部１０１によって取得された発電装置１２の運転履歴を用いて発電装置１２の発電量を予測する。
【００５８】
次に、ステップＳ３において、発電価格予測部１０３は、発電予測部１０２によって予測された発電量を用いて、発電装置１２で発電された電力の使用電力量に対する電力価格を所定の時間帯ごとに予測する。
【００５９】
次に、ステップＳ４において、充放電計画生成部１０４は、情報取得部１０１によって取得された蓄電装置１１の運転履歴を用いて蓄電装置１１の運転計画を生成する。
【００６０】
次に、ステップＳ５において、蓄電価格予測部１０５は、情報取得部１０１によって取得された買電価格と、発電価格予測部１０３によって予測された発電装置１２の電力価格と、充放電計画生成部１０４によって生成された蓄電装置１１の運転計画に基づく蓄電装置１１に充電又は放電される電力量とを基に、蓄電装置１１に蓄電されている電力を使用したときの使用電力量に対する電力価格を所定の時間帯ごとに予測する。
【００６１】
次に、ステップＳ６において、ユーザ価格表生成部１０７は、情報取得部１０１によって取得された買電価格、発電価格予測部１０３によって予測された発電装置１２で発電された電力を使用したときの電力価格、及び蓄電価格予測部１０５によって予測された蓄電装置１１に蓄電されている電力を使用したときの電力価格を基に所定の使用電力量ごと及び所定の時間帯ごとに表すユーザ価格表を生成する。
【００６２】
続いて、本実施の形態１に係る情報処理システム１のより詳細な動作について説明する。
【００６３】
図３は、本発明の実施の形態１に係るエネルギー管理装置のより詳細な動作について説明するためのフローチャートである。
【００６４】
まず、ステップＳ１１において、使用電力情報取得部１１５は、電気機器１７の使用電力、及び商用電源１８から供給される電力を表す使用電力情報を使用電力計測装置１５から取得する。なお、本実施の形態１では、エネルギー管理装置１０は、例えば、毎時０分にユーザ価格表を生成する処理を開始し、２４時間分未来のユーザ価格表を生成する。使用電力情報取得部１１５は、例えば、２４時間分の過去の使用電力情報を取得する。
【００６５】
なお、本実施の形態１では、エネルギー管理装置１０は、毎時０分にユーザ価格表を生成する処理を開始しているが、本発明は特にこれに限定されず、任意の時刻に開始してもよく、また、ユーザからの開始指示により開始してもよい。また、本実施の形態１では、エネルギー管理装置１０は、２４時間分未来のユーザ価格表を生成しているが、本発明は特にこれに限定されず、任意の時刻から任意の時間分未来のユーザ価格表を生成してもよい。また、使用電力情報取得部１１５は、任意の時刻から任意の時間分過去の使用電力情報を取得してもよい。
【００６６】
次に、ステップＳ１２において、電力価格情報取得部１１４は、商用電源１８から電力を買う場合の価格を表す買電価格情報と、商用電源１８に電力を売る場合の価格を表す売電価格情報とを含む電力価格情報を電力価格情報サーバ１４から取得する。電力価格情報取得部１１４は、例えば２４時間分未来の１時間毎の電力価格情報を取得する。なお、電力価格情報取得部１１４は、任意の時刻から任意の時間分未来の電力価格情報を取得してもよい。
【００６７】
次に、ステップＳ１３において、気象予測情報取得部１１２は、将来の天気を予測した気象予測情報を気象情報サーバ１３から取得する。気象予測情報取得部１１２は、例えば２４時間分未来の１時間毎の気象予測情報を取得する。なお、気象予測情報取得部１１２は、任意の時刻から任意の時間分未来の気象予測情報を取得してもよい。なお、気象予測情報は、将来（翌日）の天気だけでなく、過去の天気の履歴を含んでおり、さらに、日の出時刻、日の入り時刻及び気温変化予測などを含んでもよい。さらに、気象予測情報は、将来の風速及び風向を含んでもよい。
【００６８】
次に、ステップＳ１４において、発電運転履歴情報取得部１１１は、発電装置１２の運転履歴を表す運転履歴情報を発電装置１２から取得する。
【００６９】
運転履歴情報には、所定の時間帯ごとの発電量、及びその用途の内訳である電気機器１７に使用された電力量、商用電源１８へ売電された電力量、蓄電装置１１へ蓄電された電力量が含まれる。
【００７０】
発電運転履歴情報取得部１１１は、例えば１週間分過去の発電装置１２の運転履歴情報を取得する。なお、発電運転履歴情報取得部１１１は、昨年の同じ時期の１週間分など、任意の時刻から任意の時間分過去の発電装置１２の運転履歴情報を取得してもよい。
【００７１】
次に、ステップＳ１５において、蓄電運転履歴情報取得部１１３は、蓄電装置１１の運転履歴を表す運転履歴情報を蓄電装置１１から取得する。蓄電運転履歴情報取得部１１３は、例えば、２４時間分過去の蓄電装置１１の運転履歴情報や前回の蓄電装置１１から取得した運転履歴情報からの差分を取得する。
【００７２】
運転履歴情報には、充電に関しては、充電の日時と充電された電力量と充電された電力の平均価格、放電に関しては、充電の日時と充電された電力量、さらに、その際の蓄電装置１１の充電残量といった情報が含まれている。
【００７３】
なお、蓄電運転履歴情報取得部１１３は、任意の時刻から任意の時間分過去の蓄電装置１１の運転履歴情報を取得してもよい。
【００７４】
ステップＳ１１〜ステップＳ１５までの各情報を取得する処理の順番は、特に上記の順番に限定されず、各情報をどの順番で取得してもよい。
【００７５】
次に、ステップＳ１６において、宅内電力需要予測部１０６は、使用電力情報取得部１１５によって取得された使用電力情報を用いてユーザ宅内にある各電気機器１７の電力需要を予測する。宅内電力需要予測部１０６は、例えば、過去の同じ時間帯の使用電力情報の平均や、２４時間分の過去の使用電力情報を、２４時間分未来の宅内電力需要とする。なお、宅内電力需要予測部１０６は、過去の使用電力情報を入力パラメータとし、当日の宅内電力需要を出力パラメータとするニューラルネットワークモデルにより、宅内電力需要を予測してもよい。
【００７６】
また、宅内電力需要予測部１０６は、ユーザによって予約設定された電気機器１７の運転時間を宅内電力需要予測に反映させる。すなわち、ユーザは、ユーザ端末１６又は電気機器１７を用いて、特定の電気機器１７の運転時間の予約設定を行う。特定の電気機器１７の運転時間の予約設定が行われた場合、ユーザ端末１６又は電気機器１７は、当該予約設定が行われた運転時間を運転予定情報として通信部１３０へ送信し、通信部１３０は、受信した運転予定情報を、機器制御部１０８を介して宅内電力需要予測部１０６へ送信する。宅内電力需要予測部１０６は、受信した運転予定情報に基づいて、予約設定が行われた電気機器の運転時間及び使用電力を加味した宅内電力需要の予測を行う。
【００７７】
次に、ステップＳ１７において、発電予測部１０２は、発電運転履歴情報取得部１１１によって取得された発電装置１２の運転履歴情報と、気象予測情報取得部１１２によって取得された気象予測情報とを用いて発電装置１２の所定の時間帯ごとの発電量を予測する。自然エネルギーを電力に変換する発電装置の発電量は、気象条件により大きく変化する。例えば、太陽光発電装置の発電量は、晴れているか否かによって変化する。そのため、発電予測部１０２は、気象予測情報取得部１１２によって取得された気象予測情報を用いることにより、発電量を予測することが可能となる。また、発電装置１２の運転履歴情報は、過去の実際の天気と発電量の実績値とを対応付けた情報である。そのため、発電予測部１０２は、翌日の日の出時刻から日の入り時刻までの間の所定時間（例えば１時間）毎の天気と、天気に対応付けられている発電量とに基づいて、翌日の発電量の時間変化を算出する。
【００７８】
なお、本実施の形態１では、発電予測部１０２は、発電装置１２の運転履歴情報と、気象予測情報とを用いて発電装置１２の所定の時間帯ごとの発電量を予測しているが、本発明は特にこれに限定されない。発電予測部１０２は、発電装置１２の運転履歴情報のみを用いて発電装置１２の所定の時間帯ごとの発電量を予測してもよく、また、気象予測情報のみを用いて発電装置１２の所定の時間帯ごとの発電量を予測してもよい。発電装置１２の運転履歴情報のみを用いる場合、発電予測部１０２は、前日（例えば現在時刻から２４時間前まで）の発電量の時間変化を、そのまま翌日（例えば現在時刻から２４時間後まで）の発電量とする。また、気象予測情報のみを用いる場合、発電予測部１０２は、翌日（例えば現在時刻から２４時間後まで）の天気から発電量の時間変化を算出する。
【００７９】
次に、ステップＳ１８において、発電価格予測部１０３は、発電予測部１０２によって予測された所定の時間帯ごとの発電量、及び電力価格情報取得部１１４によって取得された電力価格情報に含まれる売電価格情報を用いて、発電電力運用計画を生成し、さらに、発電装置１２で発電された電力の使用電力量に対する電力価格を所定の時間帯ごとに予測する。例えば、本実施の形態の発電価格予測部１０３は、燃料コスト等がかからない自然エネルギーを利用していることから、発電装置１２で発電された電力を利用したときの電力価格を０円／ｋＷｈにする。
【００８０】
なお、発電装置１２の導入コストや発電した電力の売電価格を考慮して、発電価格予測部１０３は、より厳密に発電装置１２で発電された電力を利用したときの電力価格を所定の時間帯ごとに予測してもよい。この場合、例えば、発電装置１２を導入した際の総費用（Ｃ）から、売電による収入の累積金額（Ｉ）を減算し、さらに、それを発電装置１２が寿命になるまでの総発電量の期待値（Ｅ）で割った値（Ｃ−Ｉ）／Ｅ円／ｋＷｈを電力価格とする。
【００８１】
発電価格予測部１０３は、電力価格情報取得部１１４によって取得された電力価格情報に含まれる売電価格情報と、発電予測部１０２を通じて取得された発電装置１２の運転履歴情報に含まれる商用電源１８への売電された電力量を基に売電による収入の累積金額（Ｉ）を算出して、発電装置１２で発電された電力を利用したときの電力価格を所定の時間帯ごとに予測する。
【００８２】
次に、ステップＳ１９において、充放電計画生成部１０４は、蓄電運転履歴情報取得部１１３によって取得された蓄電装置１１の運転履歴情報、電力価格情報取得部１１４によって取得された電力価格情報に含まれる買電価格情報、宅内電力需要予測部１０６によって予測された宅内電力需要及び発電価格予測部１０３によって生成された発電電力運用計画における所定の時間帯ごとの蓄電装置１１への蓄電における配分量を用いて蓄電装置１１の運転計画を生成する。
【００８３】
充放電計画生成部１０４は、買電価格が最も安い時間帯及び発電装置１２によって発電される時間帯に充電を行い、買電価格が最も高い時間帯に放電を行うように充放電計画を生成する。充放電計画生成部１０４は、発電価格予測部１０３によって生成された発電電力運用計画における所定の時間帯ごとの蓄電装置１１への蓄電における配分量に基づいて、発電装置１２によって発電された電力を充電する時間帯及び充電量を決定する。また、充放電計画生成部１０４は、電力価格情報取得部１１４によって取得された電力価格情報に含まれる買電価格情報に基づいて、商用電源１８から供給される電力を用いて充電する時間帯及び充電量を決定する。なお、充放電計画生成部１０４は、買電価格が最も安い時間帯に充電を行うよう決定する。
【００８４】
また、充放電計画生成部１０４は、電力価格情報取得部１１４によって取得された電力価格情報に含まれる買電価格情報及び宅内電力需要予測部１０６によって予測された宅内電力需要に基づいて、放電する時間帯及び放電量を決定する。なお、充放電計画生成部１０４は、買電価格が最も高い時間帯及び宅内で使用される電力が最も多い時間帯に放電を行うよう決定する。また、充放電計画生成部１０４は、買電価格が所定価格以上である時間帯及び宅内で使用される電力が所定電力以上である時間帯に放電を行うよう決定してもよい。
【００８５】
次に、ステップＳ２０において、蓄電価格予測部１０５は、電力価格情報取得部１１４によって取得された電力価格情報に含まれる買電価格情報と、発電価格予測部１０３によって予測された発電装置１２により発電された電力の電力価格と、充放電計画生成部１０４によって生成された蓄電装置１１の充放電計画に基づく充電又は放電される電力量とを基に、蓄電装置１１に充電されている電力の実質的な単価を演算することにより、蓄電装置１１に蓄電されている電力を使用したときの電力価格を所定の時間帯ごとに予測する。
【００８６】
ここで、蓄電装置１１に蓄電されている電力を使用したときの電力価格を算出する方法についてより詳細に説明する。なお、以下の説明では、蓄電装置１１に蓄電されている電力を使用したときの電力価格を、蓄電装置１１の電力価格又は蓄電電力価格とする。
【００８７】
図４は、本発明の実施の形態１における蓄電装置１１の電力価格を算出する方法について説明するための図である。図４では、上から順に、発電装置１２による充電電力値ＣＰＶ（Ｔ）及び電力価格ＰＰＶ（Ｔ）、商用電源１８による充電電力値ＣＵＴ（Ｔ）及び電力価格ＰＵＴ（Ｔ）、放電電力値ＤＳＢ（Ｔ）、充電状態（ＳＯＣ：Ｓｔａｔｅ  Ｏｆ  Ｃｈａｒｇｅ）、蓄電電力価格ＰＳＢ（Ｔｎ）を表している。
【００８８】
充電電力値ＣＰＶ（Ｔ）は、発電装置１２による発電量から、売電した電力量及び宅内で消費した電力量を減算した値である。
【００８９】
蓄電価格予測部１０５は、下記の式（１）に基づいて蓄電電力価格ＰＳＢ（Ｔｎ）を算出する。
【００９０】
【数１】
2013094146.tif 000003
【００９１】
蓄電電力価格ＰＳＢ（Ｔｎ）は、蓄電装置１１の一連の充電運転が終了したタイミングＴ１，Ｔ２，Ｔ３，Ｔ４における蓄電電力価格を表している。蓄電電力価格は、充電時に変化し、放電時には変化しない。
【００９２】
特に、Ｔ１は、何も充電されていない状態（充電状態＝０％）の蓄電装置１１に対して、１回目の充電運転が終了したタイミングを表している。この場合、放電された分を考慮する必要がないので、蓄電電力価格ＰＳＢ（Ｔ１）は、下記の式（２）により算出される。
【００９３】
【数２】
2013094146.tif 000004
【００９４】
次に、ステップＳ２１において、ユーザ価格表生成部１０７は、電力価格情報取得部１１４によって取得された電力価格情報に含まれる買電価格情報、発電価格予測部１０３によって予測された発電装置１２で発電された電力を使用したときの電力価格、及び蓄電価格予測部１０５によって予測された蓄電装置１１に蓄電されている電力を使用したときの電力価格を所定の使用電力量ごと及び所定の時間帯ごとに所定の尺度で表すユーザ価格表を生成する。
【００９５】
次に、ステップＳ２２において、通信部１３０は、ユーザ価格表生成部１０７によって生成されたユーザ価格表をユーザ端末１６へ送信する。
【００９６】
ここで、本実施の形態１におけるユーザ価格表を生成する処理について図５〜図８を用いてより詳細に説明する。
【００９７】
図５は、本発明の実施の形態１におけるユーザ価格表を生成する処理について説明するための第１のフローチャートであり、図６は、本発明の実施の形態１におけるユーザ価格表を生成する処理について説明するための第２のフローチャートであり、図７は、本発明の実施の形態１におけるユーザ価格表を生成する処理について説明するための第３のフローチャートであり、図８は、本発明の実施の形態１におけるユーザ価格表を生成する処理について説明するための図である。
【００９８】
なお、以下の説明では、時刻Ａと時刻（Ａ＋Ａｕ）との間の時間帯において、使用電力量Ｍ（０〜Ｍｍａｘ）を所定の電力量間隔Ｍｕで電力価格を表すユーザ価格表を生成する処理について説明する。
【００９９】
まず、ステップＳ２０１において、ユーザ価格表生成部１０７は、使用電力量Ｍを０に設定する。
【０１００】
次に、ステップＳ２０２において、ユーザ価格表生成部１０７は、発電電力運用計画に基づく時間帯（Ａ〜Ａ＋Ａｕ）における発電電力の宅内利用計画量Ｇが所定の電力量間隔Ｍｕ以上であるか否かを判断する。ここで、宅内利用計画量Ｇが所定の電力量間隔Ｍｕ以上であると判断された場合（ステップＳ２０２でＹＥＳ）、ステップＳ２０３において、ユーザ価格表生成部１０７は、ユーザ価格表の時間帯（Ａ〜Ａ＋Ａｕ）及び使用電力量（Ｍ〜Ｍ＋Ｍｕ）における電力価格を発電電力価格ＰＰＶに設定する。発電電力価格ＰＰＶは、発電装置１２の電力価格である。
【０１０１】
次に、ステップＳ２０４において、ユーザ価格表生成部１０７は、発電電力の宅内利用計画量Ｇから電力量間隔Ｍｕを減算し、使用電力量Ｍに電力量間隔Ｍｕを加算する。
【０１０２】
次に、ステップＳ２０５において、ユーザ価格表生成部１０７は、使用電力量Ｍが最大値Ｍｍａｘであるか否かを判断する。ここで、使用電力量Ｍが最大値Ｍｍａｘであると判断された場合（ステップＳ２０５でＹＥＳ）、時間帯（Ａ〜Ａ＋Ａｕ）におけるユーザ価格表の生成処理を終了する。
【０１０３】
一方、使用電力量Ｍが最大値Ｍｍａｘではないと判断された場合（ステップＳ２０５でＮＯ）、ステップＳ２０２の処理へ戻る。
【０１０４】
また、ステップＳ２０２において、宅内利用計画量Ｇが所定の電力量間隔Ｍｕより小さいと判断された場合（ステップＳ２０２でＮＯ）、ステップＳ２０６において、ユーザ価格表生成部１０７は、電力量間隔Ｍｕから宅内利用計画量Ｇを減算した値を第１の値Ｒ１として設定する。
【０１０５】
次に、ステップＳ２０７において、ユーザ価格表生成部１０７は、充放電計画に基づく時間帯（Ａ〜Ａ＋Ａｕ）における蓄電装置１１の放電電力値Ｄが第１の値Ｒ１以上であるか否かを判断する。ここで、蓄電装置１１の放電電力値Ｄが第１の値Ｒ１以上であると判断された場合（ステップＳ２０７でＹＥＳ）、ステップＳ２０８において、ユーザ価格表生成部１０７は、ユーザ価格表の時間帯（Ａ〜Ａ＋Ａｕ）及び使用電力量（Ｍ〜Ｍ＋Ｍｕ）における電力価格を（ＰＰＶ×Ｇ＋ＰＳＢ×Ｒ１）／Ｍｕに設定する。なお、ＰＳＢは、蓄電価格予測部１０５によって予測された時間帯（Ａ〜Ａ＋Ａｕ）における蓄電電力価格を表している。
【０１０６】
次に、ステップＳ２０９において、ユーザ価格表生成部１０７は、蓄電装置１１の放電電力値Ｄから第１の値Ｒ１を減算し、使用電力量Ｍに電力量間隔Ｍｕを加算し、後述するステップＳ２１３の処理へ移行する。
【０１０７】
一方、蓄電装置１１の放電電力値Ｄが第１の値Ｒ１より小さいと判断された場合（ステップＳ２０７でＮＯ）、ステップＳ２１０において、ユーザ価格表生成部１０７は、第１の値Ｒ１から放電電力値Ｄを減算した値を第２の値Ｒ２として設定する。
【０１０８】
次に、ステップＳ２１１において、ユーザ価格表生成部１０７は、ユーザ価格表の時間帯（Ａ〜Ａ＋Ａｕ）及び使用電力量（Ｍ〜Ｍ＋Ｍｕ）における電力価格を（ＰＰＶ×Ｇ＋ＰＳＢ×Ｒ１＋ＰＵＴ×Ｒ２）／Ｍｕに設定する。なお、ＰＵＴは、時間帯（Ａ〜Ａ＋Ａｕ）において、商用電源１８から供給される電力の買電価格を表している。
【０１０９】
次に、ステップＳ２１２において、ユーザ価格表生成部１０７は、使用電力量Ｍに電力量間隔Ｍｕを加算し、後述するステップＳ２２０の処理へ移行する。
【０１１０】
ステップＳ２１３において、ユーザ価格表生成部１０７は、使用電力量Ｍが最大値Ｍｍａｘであるか否かを判断する。ここで、使用電力量Ｍが最大値Ｍｍａｘであると判断された場合（ステップＳ２１３でＹＥＳ）、時間帯（Ａ〜Ａ＋Ａｕ）におけるユーザ価格表の生成処理を終了する。
【０１１１】
一方、使用電力量Ｍが最大値Ｍｍａｘではないと判断された場合（ステップＳ２１３でＮＯ）、ステップＳ２１４において、ユーザ価格表生成部１０７は、時間帯（Ａ〜Ａ＋Ａｕ）における蓄電装置１１の放電電力値Ｄが電力量間隔Ｍｕ以上であるか否かを判断する。ここで、蓄電装置１１の放電電力値Ｄが電力量間隔Ｍｕ以上であると判断された場合（ステップＳ２１４でＹＥＳ）、ステップＳ２１５において、ユーザ価格表生成部１０７は、ユーザ価格表の時間帯（Ａ〜Ａ＋Ａｕ）及び使用電力量（Ｍ〜Ｍ＋Ｍｕ）における電力価格を蓄電電力価格ＰＳＢに設定する。
【０１１２】
次に、ステップＳ２１６において、ユーザ価格表生成部１０７は、蓄電装置１１の放電電力値Ｄから電力量間隔Ｍｕを減算し、使用電力量Ｍに電力量間隔Ｍｕを加算し、ステップＳ２１３の処理へ戻る。
【０１１３】
一方、蓄電装置１１の放電電力値Ｄが電力量間隔Ｍｕより小さいと判断された場合（ステップＳ２１４でＮＯ）、ステップＳ２１７において、ユーザ価格表生成部１０７は、電力量間隔Ｍｕから放電電力値Ｄを減算した値を第３の値Ｒ３として設定する。
【０１１４】
次に、ステップＳ２１８において、ユーザ価格表生成部１０７は、ユーザ価格表の時間帯（Ａ〜Ａ＋Ａｕ）及び使用電力量（Ｍ〜Ｍ＋Ｍｕ）における電力価格を（ＰＳＢ×Ｄ＋ＰＵＴ×Ｒ３）／Ｍｕに設定する。
【０１１５】
次に、ステップＳ２１９において、ユーザ価格表生成部１０７は、使用電力量Ｍに電力量間隔Ｍｕを加算する。
【０１１６】
次に、ステップＳ２２０において、ユーザ価格表生成部１０７は、使用電力量Ｍが最大値Ｍｍａｘであるか否かを判断する。ここで、使用電力量Ｍが最大値Ｍｍａｘであると判断された場合（ステップＳ２２０でＹＥＳ）、時間帯（Ａ〜Ａ＋Ａｕ）におけるユーザ価格表の生成処理を終了する。
【０１１７】
一方、使用電力量Ｍが最大値Ｍｍａｘではないと判断された場合（ステップＳ２２０でＮＯ）、ステップＳ２２１において、ユーザ価格表生成部１０７は、ユーザ価格表の時間帯（Ａ〜Ａ＋Ａｕ）及び使用電力量（Ｍ〜Ｍ＋Ｍｕ）における電力価格を買電価格ＰＵＴに設定する。
【０１１８】
次に、ステップＳ２２２において、ユーザ価格表生成部１０７は、使用電力量Ｍに電力量間隔Ｍｕを加算し、ステップＳ２２０の処理へ戻る。
【０１１９】
以上の処理により、時間帯（Ａ〜Ａ＋Ａｕ）におけるユーザ価格表が生成される。なお、ユーザ価格表生成部１０７は、今回設定した時間帯（Ａ〜Ａ＋Ａｕ）以外の他の時間帯における電力価格についても、上記と同様に設定する。
【０１２０】
図８に示すユーザ価格表の例では、電力量間隔Ｍｕを０．１ｋＷｈとし、最大値Ｍｍａｘを２．０ｋＷｈとし、時間間隔Ａｕを３０分とし、３０分毎及び０．１ｋＷｈ毎に電力価格が設定されている。
【０１２１】
図９は、本発明の実施の形態１における、発電装置の発電量の時間変化、蓄電装置の充放電計画及び宅内電力需要の一例を示す図である。図１０は、本発明の実施の形態１におけるユーザ価格表の一例を示す図である。なお、図１０に示すユーザ価格表は、図９に示す予測結果から生成したものである。
【０１２２】
図９に示す例では、６時と１８時との間で発電装置１２による発電が行われ、買電価格が最も安い深夜の時間帯（１時から５時までの間）及び発電装置１２による発電が行われている時間帯（９時から１２時までの間）で蓄電装置１１による蓄電（充電）が行われ、宅内電力需要が多くなる朝の時間帯（６時から９時までの間）及び夕方の時間帯（１６時から１９時までの間）で蓄電装置１１による放電が行われている。
【０１２３】
また、図１０に示すユーザ価格表では、１時間毎及び１ｋＷｈの使用電力量毎に、利用可能な最も安い電力の電力価格が表示されている。すなわち、ユーザ価格表生成部１０７は、電力価格情報取得部１１４によって取得された買電価格、発電価格予測部１０３によって予測された発電装置１２で発電された電力を使用したときの電力価格、及び蓄電価格予測部１０５によって予測された蓄電装置１１に蓄電されている電力を使用したときの電力価格のうちで最も安価な電力価格を所定の使用電力量ごと及び所定の時間帯ごとに表すユーザ価格表を生成する。
【０１２４】
また、通常時間帯の買電価格、深夜時間帯の買電価格、発電装置１２による発電電力価格、及び蓄電装置１１による蓄電電力価格が、それぞれ識別可能なように、例えば色分けされて表示されている。すなわち、ユーザ価格表生成部１０７は、電力価格情報取得部１１４によって取得された買電価格、発電価格予測部１０３によって予測された発電装置１２で発電された電力を使用したときの電力価格、及び蓄電価格予測部１０５によって予測された蓄電装置１１に蓄電されている電力を使用したときの電力価格をそれぞれ異なる色で色分けしたユーザ価格表を生成する。
【０１２５】
図１０において、通常時間帯の買電価格は３６．５円／ｋＷｈであり、深夜時間帯の買電価格は２０．２円／ｋＷｈであり、発電電力価格は０円／ｋＷｈであり、蓄電電力価格は１７．５円／ｋＷｈ又は１０．５円／ｋＷｈである。なお、図１０では、ユーザ価格表に価格が示されているが、本発明は特にこれに限定されず、ユーザ価格表に価格を示さずに、色分けのみ行ってもよい。
【０１２６】
さらに、ユーザ価格表には、宅内電力需要が重畳して表示される。すなわち、ユーザ価格表生成部１０７は、宅内電力需要予測部１０６によって予測されたユーザ宅内にある電気機器１７の電力需要の予測結果をユーザ価格表に重畳させる。
【０１２７】
さらにまた、ユーザ価格表生成部１０７は、発電予測部１０２によって予測された発電装置１２の発電量及び充放電計画生成部１０４によって生成された蓄電装置１１の運転計画に基づいて、発電装置１２が発電しない時間帯及び蓄電装置１１が放電しない時間帯については、買電価格をユーザ価格表に表し、発電装置１２及び蓄電装置１１のいずれか一方が動作する時間帯については、当該動作する装置の電力、及び商用電源１８から供給される電力のうちで、より安価な電力が優先的に使用される場合における電力価格をユーザ価格表に表す。
【０１２８】
続いて、本発明の実施の形態１に係るユーザ端末の動作について説明する。
【０１２９】
図１１は、本発明の実施の形態１に係るユーザ端末の動作について説明するためのフローチャートである。
【０１３０】
まず、ステップＳ３１において、ユーザ価格表取得部１６１は、エネルギー管理装置１０の通信部１３０によって送信されたユーザ価格表を取得する。
【０１３１】
次に、ステップＳ３２において、ユーザ価格表表示部１６２は、ユーザ価格表取得部１６１によって取得されたユーザ価格表を表示する。
【０１３２】
次に、運転時間変更受付部１６３は、ユーザ価格表表示部１６２によって表示されているユーザ価格表のうち、運転時間が変更可能な電気機器の運転時間の変更を受け付ける。ユーザ価格表には、宅内電力需要が電力価格とともに表示される。このとき、運転時間が変更可能な電気機器の運転時間が識別可能に表示される。
【０１３３】
図１２は、実施の形態１において、運転時間が変更される前のユーザ価格表の一例を示す図であり、図１３は、実施の形態１において、運転時間を変更する際、及び、運転時間が変更された後のユーザ価格表の一例を示す図である。
【０１３４】
図１２に示すように、ユーザ価格表には、宅内電力需要が表示されている。この宅内電力需要は、運転時間が変更可能な電気機器の運転時間及び使用電力量を表す運転変更領域３０１を含む。ユーザは、例えば操作ボタン、タッチパネル、キーボード又はマウスなどを用いて、運転時間を変更させる電気機器に対応する運転変更領域３０１を選択し、選択した運転変更領域３０１を所望の位置に移動させる。この時、運転変更領域３０１は、ユーザ価格表表示部１６２によって宅内電力需要を示す線に沿って移動するように表示される。
【０１３５】
図１３に示すように、現在の運転変更領域３０１が、０時２０分から２時２０分までの運転時間である場合、９時以降に移動させることにより、コストを最小限にすることができる。しかしながら、例えば、ユーザが８時４５分から外出等の予定があり、８時４５分よりも前に電気機器の運転が完了する必要がある場合、運転変更領域３０１は、９時の位置に移動させることができない。そのため、ユーザは、８時４５分より前であり、かつコストを最小限に抑えることができる６時３０分から８時３０分の位置３０２に運転変更領域３０１を移動させる。このように、ユーザ価格表が表示されたユーザ端末の画面上の操作で、ユーザは思考錯誤をしながら利便性と利益とが両立するように運転時間を変更することが出来る。
【０１３６】
これにより、ユーザの利便性と、ユーザの利益とを両立させたスケジュールを決定することができる。
【０１３７】
なお、運転変更領域３０１及び運転変更領域３０２を表示するだけでなく、運転変更領域に対応する電気機器１７が使用する電力の金額を算出して、運転変更領域３０１と運転変更領域３０２にそれぞれ対応付けて算出した金額を一緒に表示するようにしてもよい。
【０１３８】
図１１に戻って、ステップＳ３４において、運転時間変更受付部１６３は、運転時間が変更されたか否かを判断する。ここで、運転時間が変更されていないと判断された場合（ステップＳ３４でＮＯ）、ステップＳ３６の処理へ移行する。一方、運転時間が変更されたと判断された場合（ステップＳ３４でＹＥＳ）、ステップＳ３５において、運転時間変更受付部１６３は、運転時間変更受付部１６３によって変更された運転時間を表す運転予定情報をエネルギー管理装置１０へ送信する。
【０１３９】
そして、エネルギー管理装置１０の通信部１３０は、運転時間変更受付部１６３によって送信された運転予定情報を受信する。通信部１３０は、受信した運転予定情報を機器制御部１０８へ出力する。機器制御部１０８は、運転予定情報に基づいて運転時間を変更するよう電気機器へ制御信号を出力する。また、機器制御部１０８は、運転予定情報を宅内電力需要予測部１０６へ出力する。宅内電力需要予測部１０６は、運転時間変更受付部１６３によって受け付けられた変更後の運転時間を宅内電力需要に反映させ、変更後の運転時間を反映させた宅内電力需要をユーザ価格表生成部１０７へ出力する。ユーザ価格表生成部１０７は、変更後の運転時間を反映させた宅内電力需要をユーザ価格表に重畳させる。
【０１４０】
次に、ステップＳ３６において、ユーザ価格表表示部１６２は、ユーザ価格表の表示を終了するか否かを判断する。ここで、ユーザ価格表の表示を終了すると判断された場合（ステップＳ３６でＹＥＳ）、処理を終了する。一方、ユーザ価格表の表示を終了しないと判断された場合（ステップＳ３６でＮＯ）、ステップＳ３３の処理へ戻る。
【０１４１】
次に、本発明の実施の形態１の変形例に係る情報処理システムについて説明する。
【０１４２】
図１４は、本発明の実施の形態１の変形例に係る情報処理システムの構成を示す図である。図１４に示す情報処理システム２は、エネルギー管理装置１０、蓄電装置１１、発電装置１２、気象情報サーバ１３、電力価格情報サーバ１４、使用電力計測装置１５及び電気機器１７を備える。図１４に示す情報処理システム２と図１に示す情報処理システム１とで異なる点は、情報処理システム２がユーザ端末を備えておらず、情報処理システム１のユーザ端末が有する機能を電気機器が有している点である。
【０１４３】
エネルギー管理装置１０は、情報取得部１０１、発電予測部１０２、発電価格予測部１０３、充放電計画生成部１０４、蓄電価格予測部１０５、宅内電力需要予測部１０６、ユーザ価格表生成部１０７及び通信部１３０を備える。電気機器１７は、ユーザ価格表取得部１７１、ユーザ価格表表示部１７２、運転時間変更受付部１７３及び機器制御部１７４を備える。価格決定部１００は、発電予測部１０２、発電価格予測部１０３、充放電計画生成部１０４、蓄電価格予測部１０５及び宅内電力需要予測部１０６により構成される。
【０１４４】
ユーザ価格表取得部１７１、ユーザ価格表表示部１７２及び運転時間変更受付部１７３は、図１に示すユーザ価格表取得部１６１、ユーザ価格表表示部１６２及び運転時間変更受付部１６３と同じ機能を有している。機器制御部１７４は、電気機器１７を制御する。機器制御部１７４は、運転時間変更受付部１６３によって変更された運転時間を表す運転予定情報に基づいて運転時間を変更する。また、通信部１３０は、受信した運転予定情報を宅内電力需要予測部１０６へ出力する。宅内電力需要予測部１０６は、運転時間変更受付部１６３によって受け付けられた変更後の運転時間を宅内電力需要に反映させ、変更後の運転時間を反映させた宅内電力需要をユーザ価格表生成部１０７へ出力する。
【０１４５】
なお、情報処理システム２の他の構成は、図１に示す情報処理システム１の構成と同じであるので、詳細な説明は省略する。
【０１４６】
上記のように、実施の形態１の変形例では、電気機器においてユーザ価格表を表示させることができる。
【０１４７】
なお、本実施の形態１における発電装置１２は、太陽光発電装置に限定されず、太陽光発電装置、風力エネルギーを電力に変換する風力発電装置、水力エネルギーを電力に変換する水力発電装置、地熱エネルギーを電力に変換する地熱発電装置、及び都市ガスなどの燃料から得られる水素を空気中の酸素と反応させることで、化学エネルギーを電力に変換する燃料電池発電装置のうちの少なくとも１つであることが好ましい。
【０１４８】
さらに、本実施の形態１では、ユーザ端末１６又は電気機器１７においてユーザ価格表を表示しているが、本発明は特にこれに限定されず、エネルギー管理装置１０がユーザ価格表表示部を備えてもよい。
【０１４９】
（実施の形態２）
続いて、実施の形態２に係る情報処理システムについて説明する。実施の形態２に係る情報処理システムは、最適な電気機器の運転タイミングを算出し、算出した運転タイミングに応じた使用電力量及び運転時間をユーザ価格表に重畳する。
【０１５０】
図１５は、本発明の実施の形態２に係る情報処理システムの構成を示す図である。図１５に示す情報処理システム３は、エネルギー管理装置１０、蓄電装置１１、発電装置１２、気象情報サーバ１３、電力価格情報サーバ１４、使用電力計測装置１５、ユーザ端末１６及び電気機器１７を備える。
【０１５１】
エネルギー管理装置１０は、情報取得部１０１、発電予測部１０２、発電価格予測部１０３、充放電計画生成部１０４、蓄電価格予測部１０５、宅内電力需要予測部１０６、ユーザ価格表生成部１０７、機器制御部１０８、最適タイミング算出部１０９、最適タイミング重畳部１１０及び通信部１３０を備える。電気機器１７は、運転情報入力部１７５及び通信部１７６を備える。なお、本実施の形態２において、実施の形態１に係る情報処理システム１と同じ構成については、同じ符号を付し、説明を省略する。
【０１５２】
価格決定部１００は、発電予測部１０２、発電価格予測部１０３、充放電計画生成部１０４、蓄電価格予測部１０５及び宅内電力需要予測部１０６により構成される。なお、図１５では、価格決定部１００を省略している。
【０１５３】
運転情報入力部１７５は、例えば操作画面などを備えた入力端末であり、特定の運転メニューの選択やタイマー設定などユーザによる運転情報の入力を受け付ける。運転情報入力部１７５が運転情報の入力を受け付けると、電気機器１７が運転に要する期間を示す運転期間情報及び電気機器１７が運転に要する電力を示す電力情報が定まる。なお、本実施の形態では、運転情報入力部１７５は、ユーザによる電気機器１７の運転期間情報の入力を受け付けているが、本発明は特にこれに限定されず、電気機器１７の希望運転開始時刻又は希望運転終了時刻の入力を受け付けてもよく、電気機器１７の希望運転開始時刻及び希望運転終了時刻の両方の入力を受け付けてもよい。この場合、運転情報入力部１７５は、希望運転開始時刻及び／又は希望運転終了時刻に基づいて運転期間情報を算出する。運転情報入力部１７５は、運転期間情報及び電力情報を通信部１７６へ出力する。
【０１５４】
通信部１７６は、電気機器１７が運転に要する期間を示す運転期間情報及び電気機器１７が運転に要する電力を示す電力情報をエネルギー管理装置１０へ送信する。なお、電気機器１７の通信部１７６が、運転情報入力部１７５が受け付けた運転情報をエネルギー管理装置１０へ送信し、エネルギー管理装置１０側で、電気機器１７の運転期間情報及び電力情報に変換するようにしてもよい。
【０１５５】
エネルギー管理装置１０の通信部１３０は、電気機器１７が運転に要する期間を示す運転期間情報及び電気機器１７が運転に要する電力を示す電力情報を受信する。通信部１３０は、受信した運転期間情報及び電力情報を最適タイミング算出部１０９へ出力する。
【０１５６】
ユーザ価格表生成部１０７は、生成したユーザ価格表を最適タイミング算出部１０９へ出力する。
【０１５７】
最適タイミング算出部１０９は、通信部１３０によって受信された運転期間情報及び電力情報と、ユーザ価格表生成部１０７によって生成されたユーザ価格表とに基づいて、電気機器１７が運転された場合に使用される電力の金額が所定金額以下となる運転開始時刻を最適タイミングとして算出する。なお、最適タイミング算出部１０９は、電気機器１７が運転された場合に使用される電力の金額が最も安くなる運転開始時刻を最適タイミングとして算出する。また、最適タイミング算出部１０９は、運転開始時刻のみを算出するのではなく、運転終了時刻のみを算出してもよく、また、運転開始時刻及び運転終了時刻の両方を算出してもよい。
【０１５８】
最適タイミング重畳部１１０は、ユーザ価格表生成部１０７からユーザ価格表を取得する。最適タイミング重畳部１１０は、最適タイミング算出部１０９によって算出された運転開始時刻に基づいて、電気機器１７の運転期間及び運転に必要な電力量をユーザ価格表に重畳する。最適タイミング重畳部１１０は、電気機器１７の運転期間及び運転に必要な電力量が重畳されたユーザ価格表をユーザ価格表生成部１０７へ出力する。
【０１５９】
続いて、本実施の形態２に係る情報処理システム３の動作について説明する。
【０１６０】
図１６は、本発明の実施の形態２に係るエネルギー管理装置の動作について説明するためのフローチャートである。
【０１６１】
ステップＳ４１からステップＳ４５の処理は、図３のステップＳ１１からステップＳ１５の処理と同じであるので、説明を省略する。
【０１６２】
ステップＳ４６において、通信部１３０は、電気機器１７が運転に要する期間を示す運転期間情報及び電気機器１７が運転に要する電力を示す電力情報を電気機器１７から受信する。電気機器１７の運転情報入力部１７５は、電気機器１７が運転情報のユーザによる入力を受け付ける。そして、通信部１７６は、運転情報入力部１７５によって入力された運転期間情報及び電力情報をエネルギー管理装置１０へ送信する。電気機器１７の通信部１３０は、受信した運転期間情報及び電力情報を最適タイミング算出部１０９へ出力する。
【０１６３】
なお、本実施の形態２では、電気機器１７が運転期間情報及び電力情報の入力を受け付けているが、本発明は特にこれに限定されず、ユーザ端末１６が運転期間情報及び電力情報の入力を受け付けてもよい。
【０１６４】
ステップＳ４７からステップＳ５２の処理は、図３のステップＳ１６からステップＳ２１の処理と同じであるので、説明を省略する。
【０１６５】
ステップＳ５３において、最適タイミング算出部１０９は、通信部１３０によって受信された運転期間情報及び電力情報と、ユーザ価格表生成部１０７によって生成されたユーザ価格表とに基づいて、電気機器１７が運転された場合に使用される電力の金額が最も安くなる運転開始時刻を最適タイミングとして算出する。
【０１６６】
次に、ステップＳ５４において、最適タイミング重畳部１１０は、ユーザ価格表生成部１０７からユーザ価格表を取得するとともに、最適タイミング算出部１０９から運転開始時刻を取得し、電気機器１７の運転期間及び運転に必要な電力量をユーザ価格表に重畳する。
【０１６７】
最適タイミング重畳部１１０は、ユーザ価格表において、運転開始時刻、運転期間及び運転に必要な電力量によって特定される表示位置に、運転期間及び運転に必要な電力量を重畳する。このとき、最適タイミング重畳部１１０は、電気機器１７の運転期間及び運転に必要な電力量を示す運転領域を識別可能となるようにユーザ価格表に重畳する。最適タイミング重畳部１１０は、電気機器１７の運転期間及び運転に必要な電力量が重畳されたユーザ価格表をユーザ価格表生成部１０７へ出力し、ユーザ価格表生成部１０７は、電気機器１７の運転期間及び運転に必要な電力量が重畳されたユーザ価格表を通信部１３０へ出力する。
【０１６８】
次に、ステップＳ５５において、通信部１３０は、ユーザ価格表生成部１０７から出力されたユーザ価格表をユーザ端末１６へ送信する。
【０１６９】
なお、実施の形態２に係るユーザ端末１６の動作は、実施の形態１に係るユーザ端末１６の動作と同じであるので、説明を省略する。
【０１７０】
図１７は、本発明の実施の形態２において生成されるユーザ価格表の一例を示す図である。
【０１７１】
図１７に示すように、最適タイミング重畳部１１０は、電気機器１７の運転期間及び運転に必要な電力量を示す運転領域３１１を識別可能となるようにユーザ価格表に重畳する。
【０１７２】
なお、実施の形態１において説明した運転変更領域３０１と同様に、運転領域３１１は移動させることができる。すなわち、ユーザは、例えば操作ボタン、タッチパネル、キーボード又はマウスなどを用いて、運転領域３１１を選択し、選択した運転領域３１１を所望の位置に移動させる。運転領域３１１は、エネルギー管理装置１０によって自動的に算出された最適タイミングである。そのため、ユーザの利便性については反映されておらず、必ずしもユーザが望む時間に運転されるとは限らない。そのため、エネルギー管理装置１０によって算出された運転領域３１１の変更を受け付けることにより、ユーザの利便性をさらに向上させることができる。
【０１７３】
また、ユーザ価格表生成部１０７は、ユーザ価格表の電力需要の予測結果に対応する部分の電力価格を所定の時間帯よりもさらに細かな時間帯ごとに表してもよい。特に、ユーザ価格表生成部１０７は、宅内電力需要と、電気機器１７の運転に必要な電力量とに基づいて、運転領域３１１を移動することが可能な欄の電力価格の精度をより高めたユーザ価格表を生成してもよい。すなわち、ユーザ価格表生成部１０７は、運転領域３１１を移動することが可能な欄をさらに複数に分割したユーザ価格表を生成してもよい。
【０１７４】
図１７に示すように、例えば、運転領域３１１を移動することが可能な欄の１つは、使用電力量を表す方向に４つに分割されるとともに、時間を表す方向に５つに分割される。これにより、１時間ごと及び１ｋＷｈごとに表していた電力価格は、１２分ごと及び０．２５ｋＷｈごとに表すことができる。これにより、ユーザは、電気機器１７の運転時間をより詳細に移動させることができ、ユーザの利便性をより向上させることができる。
【０１７５】
なお、実施の形態２に係る情報処理システム３は、ユーザ端末１６を備えていなくてもよく、電気機器１７がユーザ端末１６の機能を有してもよい。
【０１７６】
（実施の形態３）
続いて、実施の形態３に係る情報処理システムについて説明する。実施の形態３に係る情報処理システムは、電力需給状況を反映させたユーザ価格表を生成する。
【０１７７】
図１８は、本発明の実施の形態３に係る情報処理システムの構成を示す図である。図１８に示す情報処理システム４は、エネルギー管理装置１０、蓄電装置１１、発電装置１２、気象情報サーバ１３、電力価格情報サーバ１４、使用電力計測装置１５、ユーザ端末１６、電気機器１７及び電力需要予測情報サーバ１９を備える。
【０１７８】
エネルギー管理装置１０は、情報取得部１０１、発電予測部１０２、発電価格予測部１０３、充放電計画生成部１０４、蓄電価格予測部１０５、宅内電力需要予測部１０６、ユーザ価格表生成部１０７、機器制御部１０８、最適タイミング算出部１０９、最適タイミング重畳部１１０、重み付け処理部１２１及び通信部１３０を備える。電気機器１７は、運転情報入力部１７５及び通信部１７６を備える。なお、本実施の形態３において、実施の形態１，２に係る情報処理システム１〜３と同じ構成については、同じ符号を付し、説明を省略する。
【０１７９】
価格決定部１００は、発電予測部１０２、発電価格予測部１０３、充放電計画生成部１０４、蓄電価格予測部１０５、宅内電力需要予測部１０６及び重み付け処理部１２１により構成される。なお、図１８では、価格決定部１００を省略している。
【０１８０】
電力需要予測情報サーバ１９は、将来の電力需要及び電力供給能力の時間変化を示す電力需要予測情報を記憶しており、電力需要予測情報をエネルギー管理装置１０に送信する。なお、電力需要予測情報は、例えば、翌日の所定時間（例えば１時間）毎の所定の地域で使用される総使用電力量の予測値の商用電源１８からユーザ宅を含む所定の地域へ供給可能な総電力量に対する割合である電力使用率を含む。また、電力需要予測情報は、地域ごとに作成され、ユーザが住む地域に応じた電力需要予測情報が配信される。
【０１８１】
情報取得部１０１は、発電運転履歴情報取得部１１１、気象予測情報取得部１１２、蓄電運転履歴情報取得部１１３、電力価格情報取得部１１４、使用電力情報取得部１１５及び電力需要予測情報取得部１１６を備える。
【０１８２】
電力需要予測情報取得部１１６は、将来の電力需要及び電力供給能力の時間変化を示す電力需要予測情報を電力需要予測情報サーバ１９から取得する。
【０１８３】
重み付け処理部１２１は、電力価格情報取得部１１４によって取得された電力価格情報に含まれる所定時間毎の買電価格のうち、電力需要予測情報取得部１１６によって取得された電力需要予測情報に含まれる電力使用率が所定値（例えば、９５％）以上である時間帯の買電価格に対して、価格が高くなるように重み付け処理を施す。重み付け処理部１２１は、重み付け処理を施した買電価格情報を充放電計画生成部１０４及びユーザ価格表生成部１０７に出力する。また、重み付け処理部１２１は、電力使用率に応じた割合での重み付けをするようにしてもよい。
【０１８４】
充放電計画生成部１０４は、蓄電運転履歴情報取得部１１３によって取得された蓄電装置１１の運転履歴情報、重み付け処理部１２１によって重み付け処理が施された買電価格、宅内電力需要予測部１０６によって予測された宅内電力需要及び発電価格予測部１０３が生成した発電電力運用計画に基づく発電された電力の「蓄電装置１１への蓄電」への配分量を基に蓄電装置１１の運転計画を生成する。
【０１８５】
ユーザ価格表生成部１０７は、重み付け処理部１２１によって重み付け処理が施された買電価格、発電価格予測部１０３によって予測された発電装置１２で発電された電力を使用したときの電力価格、及び蓄電価格予測部１０５によって予測された蓄電装置１１に蓄電されている電力を使用したときの電力価格を基に、電気機器１７によって使用される電力の価格を所定の使用電力量ごと及び所定の時間帯ごとに表すユーザ価格表を生成する。
【０１８６】
続いて、本発明の実施の形態３に係る情報処理システム４の動作について説明する。
【０１８７】
図１９は、本発明の実施の形態３に係るエネルギー管理装置の動作について説明するためのフローチャートである。
【０１８８】
ステップＳ６１からステップＳ６６の処理は、図１６のステップＳ４１からステップＳ４６の処理と同じであるので、説明を省略する。
【０１８９】
次に、ステップＳ６７において、電力需要予測情報取得部１１６は、将来の電力需要及び電力供給能力の時間変化を示す電力需要予測情報を電力需要予測情報サーバ１９から取得する。電力需要予測情報取得部１１６は、例えば翌日の所定時間（例えば１時間）毎の所定の地域で使用される総使用電力量の予測値の商用電源１８からユーザ宅を含む所定の地域へ供給可能な総電力量に対する割合である電力使用率を取得する。
【０１９０】
ステップＳ６８からステップＳ７０の処理は、図１６のステップＳ４７からステップＳ４９の処理と同じであるので、説明を省略する。
【０１９１】
次に、ステップＳ７１において、重み付け処理部１２１は、電力価格情報取得部１１４によって取得された電力価格情報に含まれる所定時間毎の買電価格のうち、電力需要予測情報取得部１１６によって取得された電力需要予測情報に含まれる電力使用率が所定値（例えば、９５％）以上である時間帯の買電価格に対して重み付け処理を施す。より具体的には、重み付け処理部１２１は、電力使用率が例えば９５％以上である時間帯の買電価格に、予め決められた所定の重み付け値を加算又は乗算する。
【０１９２】
ステップＳ７２の処理は、図１６のステップＳ５０の処理と同じであるので、説明を省略する。
【０１９３】
次に、ステップＳ７３において、蓄電価格予測部１０５は、重み付け処理部１２１によって重み付け処理が施された買電価格と、発電予測部１０２によって予測された発電装置１２の所定の時間帯ごとの発電量と、発電価格予測部１０３によって予測された発電装置１２により発電された電力の電力価格と、充放電計画生成部１０４によって生成された蓄電装置１１の充放電計画に基づく充電又は放電される電力量とを基に、蓄電装置１１に充電されている電力の実質的な単価を演算することにより、蓄電装置１１に蓄電されている電力を使用したときの使用電力量に対する電力価格を所定の時間帯ごとに予測する。
【０１９４】
次に、ステップＳ７４において、ユーザ価格表生成部１０７は、重み付け処理部１２１によって重み付け処理が施された買電価格、発電価格予測部１０３によって予測された発電装置１２で発電された電力を使用したときの電力価格、及び蓄電価格予測部１０５によって予測された蓄電装置１１に蓄電されている電力を使用したときの電力価格を基に、電気機器１７によって使用される電力の価格を所定の使用電力量ごと及び所定の時間帯ごとに表すユーザ価格表を生成する。
【０１９５】
ステップＳ７５からステップＳ７７の処理は、図１６のステップＳ５３からステップＳ５５の処理と同じであるので、説明を省略する。また、実施の形態３に係るユーザ端末１６の動作は、実施の形態１に係るユーザ端末１６の動作と同じであるので、説明を省略する。
【０１９６】
図２０は、本発明の実施の形態３における、発電装置の発電量の時間変化、蓄電装置の充放電計画及び宅内電力需要の一例を示す図である。図２１は、本発明の実施の形態３におけるユーザ価格表の一例を示す図である。なお、図２１に示すユーザ価格表は、図２０に示す予測結果から生成したものである。
【０１９７】
図２０に示す実施の形態３における、発電装置の発電量の時間変化、蓄電装置の充放電計画及び宅内電力需要は、図９に示す実施の形態１における、発電装置の発電量の時間変化、蓄電装置の充放電計画及び宅内電力需要と同じである。
【０１９８】
図２０に示すように、実施の形態３では、１２時から１６時までの時間帯が、電力需要がピークとなる時間帯であり、この１２時から１６時までの時間帯の電力使用率が所定値以上とする。
【０１９９】
この場合、重み付け処理部１２１は、電力使用率が例えば９５％以上である時間帯（１２時〜１６時）の買電価格に対して重み付け処理を施す。例えば、重み付け処理部１２１は、１２時〜１６時の時間帯の買電価格である３６．５円／ｋＷｈに重み付け値６３．５円／ｋＷｈを加算する。これにより、重み付け処理部１２１は、１２時〜１６時の時間帯の買電価格を１００．０円／ｋＷｈに変更する。
【０２００】
その結果、図２１に示すように、１１時〜１２時の時間帯、１２時〜１３時の時間帯、１３時〜１４時の時間帯、１４時〜１５時の時間帯及び１５時〜１６時の時間帯の４〜５ｋＷｈの使用電力量、並びに１５時〜１６時の時間帯の３〜４ｋＷｈの使用電力量に対応する買電価格が、１００．０円／ｋＷｈとなる。
【０２０１】
このように、実施の形態３に係る情報処理システムでは、電力需要予測を反映したユーザ価格表を生成することができ、ユーザは、電力需要予測が反映されたユーザ価格表を確認することで、電力需要が高い時間帯、すなわちユーザが住む地域において節電が必要な時間帯に電気機器を使用することを抑えることができる。また一方で、電力需要が高い時間帯、すなわちユーザが住む地域において節電が必要な時間帯であっても、発電装置１２による発電電力が十分にあり電気機器に使用できる場合や、蓄電装置１１に充電されている電力が十分にあり電気機器に使用できる場合には、電気機器を使用するという判断を行うことが出来る。
【０２０２】
なお、本実施の形態３では、電力需要予測情報は、例えば翌日の所定時間（例えば１時間）毎の商用電源１８の電力使用率を含むとしているが、本発明は特にこれに限定されず、電力需要予測情報は、計画的に停電が行われる時間帯を示す情報を含んでもよい。すなわち、地域ごとに計画的に停電が行われる場合、電力需要予測情報サーバ１９は、停電が行われる時間帯を示す情報を含む電力需要予測情報をエネルギー管理装置１０に送信する。
【０２０３】
図２２は、本発明の実施の形態３の変形例における、発電装置の発電量の時間変化、蓄電装置の充放電計画及び宅内電力需要の一例を示す図である。図２３は、本発明の実施の形態３の変形例におけるユーザ価格表の一例を示す図である。なお、図２３に示すユーザ価格表は、図２２に示す予測結果から生成したものである。
【０２０４】
図２２に示す実施の形態３の変形例における、発電装置の発電量の時間変化、蓄電装置の充放電計画及び宅内電力需要は、図９に示す実施の形態１における、発電装置の発電量の時間変化、蓄電装置の充放電計画及び宅内電力需要と同じである。
【０２０５】
図２２に示すように、実施の形態３の変形例では、１２時から１６時までの時間帯が、計画的に停電が行われる時間帯である。
【０２０６】
この場合、重み付け処理部１２１は、停電が行われる時間帯（１２時〜１６時）の買電価格に対して重み付け処理を施す。例えば、重み付け処理部１２１は、１２時〜１６時の時間帯の買電価格を現在の３６．５円／ｋＷｈから、∞円／ｋＷｈ（∞は無限大を意味する）に変更する。
【０２０７】
その結果、図２３に示すように、１１時〜１２時の時間帯、１２時〜１３時の時間帯、１３時〜１４時の時間帯、１４時〜１５時の時間帯及び１５時〜１６時の時間帯の４〜５ｋＷｈの使用電力量、並びに１５時〜１６時の時間帯の３〜４ｋＷｈの使用電力量に対応する買電価格が、∞円／ｋＷｈとなる。ここで、買電価格が∞円／ｋＷｈの電力は実質的には使用できないので、本実施形態の運転時間変更受付部１６３では電気機器１７の使用電力がユーザ価格表の∞円／ｋＷｈになる時間帯への電気機器１７の運転時間の変更を受け付けない。
【０２０８】
このように、実施の形態３の変形例に係る情報処理システムでは、停電を反映したユーザ価格表を生成することができ、ユーザは、停電が反映されたユーザ価格表を確認することで、商用電源１８の停電が行われる時間帯に電気機器の運転時間を設定してしまうことを防止することができる。また一方で、商用電源１８の停電が行われる時間帯であっても、発電装置１２による発電電力が十分にあり電気機器に使用できる場合や、蓄電装置１１に充電されている電力が十分にあり電気機器に使用できる場合には、電気機器を使用するという判断を行うことが出来る。
【０２０９】
なお、図２３では、ユーザ価格表に無限大の価格を示す∞の記号が示されているが、本発明は特にこれに限定されず、ユーザ価格表に∞の記号は示さずに、その電力が使用できないことを色分け又は他の記号によって示すようにしてもよい。
【０２１０】
なお、実施の形態３に係る情報処理システム４は、ユーザ端末１６を備えていなくてもよく、電気機器１７がユーザ端末１６の機能を有してもよい。
【０２１１】
（実施の形態４）
続いて、実施の形態４に係る情報処理システムについて説明する。実施の形態４に係る情報処理システムは、商用電源１８で発電する際の環境負荷を反映させたユーザ価格表を生成する。
【０２１２】
図２４は、本発明の実施の形態４に係る情報処理システムの構成を示す図である。図２４に示す情報処理システム５は、エネルギー管理装置１０、蓄電装置１１、発電装置１２、気象情報サーバ１３、電力価格情報サーバ１４、使用電力計測装置１５、ユーザ端末１６、電気機器１７及び電力環境負荷情報サーバ２０を備える。
【０２１３】
エネルギー管理装置１０は、情報取得部１０１、発電予測部１０２、発電価格予測部１０３、充放電計画生成部１０４、蓄電価格予測部１０５、宅内電力需要予測部１０６、ユーザ価格表生成部１０７、機器制御部１０８、最適タイミング算出部１０９、最適タイミング重畳部１１０、評価指数算出部１２２及び通信部１３０を備える。電気機器１７は、運転情報入力部１７５及び通信部１７６を備える。なお、本実施の形態４において、実施の形態１〜３に係る情報処理システム１〜４と同じ構成については、同じ符号を付し、説明を省略する。
【０２１４】
価格決定部１００は、発電予測部１０２、発電価格予測部１０３、充放電計画生成部１０４、蓄電価格予測部１０５、宅内電力需要予測部１０６及び評価指数算出部１２２により構成される。なお、図２４では、価格決定部１００を省略している。
【０２１５】
電力環境負荷情報サーバ２０は、商用電源１８で発電する際の環境負荷を表す電力環境負荷情報を記憶しており、電力環境負荷情報をエネルギー管理装置１０に送信する。なお、電力環境負荷情報は、商用電源１８により発電された電力を二酸化炭素排出量に換算した二酸化炭素排出量換算値の時間変化を含む。
【０２１６】
情報取得部１０１は、発電運転履歴情報取得部１１１、気象予測情報取得部１１２、蓄電運転履歴情報取得部１１３、電力価格情報取得部１１４、使用電力情報取得部１１５及び電力環境負荷情報取得部１１７を備える。
【０２１７】
電力環境負荷情報取得部１１７は、商用電源１８で発電する際の環境負荷を表す電力環境負荷情報を電力環境負荷情報サーバ２０から取得する。
【０２１８】
評価指数算出部１２２は、電力環境負荷情報取得部１１７によって取得された電力環境負荷情報を正規化するとともに、電力価格情報取得部１１４によって取得された電力価格情報に含まれる買電価格情報を正規化し、正規化した電力環境負荷情報と正規化した買電価格情報とを所定の割合で合成した評価指数情報を算出する。評価指数算出部１２２は、算出した評価指数情報を充放電計画生成部１０４及びユーザ価格表生成部１０７に出力する。
【０２１９】
また、本実施の形態４の発電価格予測部１０３は、実施の形態１の場合と同様に、発電装置１２によって発電された電力の発電電力運用計画を生成し、発電された電力の電力価格を算出すると共に、評価指数算出部１２２が算出する商用電源１８に関する評価指数と同様の評価指数を、発電装置１２が発電する電力に関して算出する。
【０２２０】
この場合の発電装置１２が発電する電力の電力環境負荷情報は、発電装置の種類に応じて予め設定されているものとする。例えば発電装置１２が、太陽光発電装置や風力発電装置、水力発電装置、地熱発電装置などの自然エネルギーを利用するタイプである場合は、その電力環境負荷情報に含まれる二酸化炭素排出量換算値は、極めて小さいものとなる。
【０２２１】
本実施の形態４の発電価格予測部１０３は、実施の形態１の場合と同様に発電装置１２で発電された電力を使用したときの電力価格を算出し、さらに、算出した電力価格を正規化するとともに、発電装置１２が発電する電力の電力環境負荷情報を正規化し、正規化した電力環境負荷情報と正規化した電力価格とを所定の割合で合成して評価指数情報を算出する。
【０２２２】
また、本実施の形態４の充放電計画生成部１０４は、蓄電運転履歴情報取得部１１３によって取得された蓄電装置１１の運転履歴情報、評価指数算出部１２２によって算出された評価指数情報、宅内電力需要予測部１０６によって予測された宅内電力需要及び発電価格予測部１０３が生成した発電電力運用計画に基づく発電された電力の「蓄電装置１１への蓄電」への配分量を基に、蓄電装置１１の充電動作及び放電動作の運転計画を生成する。
【０２２３】
また、本実施の形態４の蓄電価格予測部１０５は、評価指数算出部１２２によって算出された商用電源１８から供給される電力の評価指数情報と、発電予測部１０２によって予測された発電装置１２の所定の時間帯ごとの発電量と、発電価格予測部１０３によって予測された発電装置１２により発電された電力の評価指数情報と、充放電計画生成部１０４によって生成された蓄電装置１１の充放電計画に基づく充電又は放電される電力量とを基に、蓄電装置１１に充電されている電力の評価指数情報を演算することにより、蓄電装置１１に蓄電されている電力を使用したときの評価指数情報を所定の時間帯ごとに予測する。
【０２２４】
ユーザ価格表生成部１０７は、評価指数算出部１２２によって算出された評価指数情報、発電価格予測部１０３によって予測された発電装置１２で発電された電力の評価指数情報、及び蓄電価格予測部１０５によって予測された蓄電装置１１に蓄電されている電力を使用したときの評価指数情報を所定の使用電力量ごと及び所定の時間帯ごとに表すユーザ価格表を生成する。
【０２２５】
続いて、本実施の形態４に係る情報処理システム５の動作について説明する。
【０２２６】
図２５は、本発明の実施の形態４に係るエネルギー管理装置の動作について説明するためのフローチャートである。
【０２２７】
ステップＳ８１からステップＳ８６の処理は、図１６のステップＳ４１からステップＳ４６の処理と同じであるので、説明を省略する。
【０２２８】
次に、ステップＳ８７において、電力環境負荷情報取得部１１７は、商用電源１８で発電する際の環境負荷を表す電力環境負荷情報を電力環境負荷情報サーバ２０から取得する。より具体的には、電力環境負荷情報取得部１１７は、商用電源１８により発電された電力を二酸化炭素排出量に換算した二酸化炭素排出量換算値の時間変化を取得する。
【０２２９】
ステップＳ８８からステップＳ８９の処理は、図１６のステップＳ４７からステップＳ４８の処理と同じであるので、説明を省略する。
【０２３０】
次に、ステップＳ９０において、発電価格予測部１０３は、実施の形態１の場合と同様に発電装置１２で発電された電力を使用したときの電力価格を算出し、さらに、算出した電力価格を正規化するとともに、発電装置１２が発電する電力の二酸化炭素排出量換算値を正規化し、正規化した二酸化炭素排出量換算値と正規化した電力価格とを所定の割合で合成して評価指数情報を予測する。
【０２３１】
次に、ステップＳ９１において、評価指数算出部１２２は、電力環境負荷情報取得部１１７によって取得された二酸化炭素排出量換算値を正規化するとともに、電力価格情報取得部１１４によって取得された電力価格情報に含まれる買電価格情報を正規化し、正規化した二酸化炭素排出量換算値と正規化した買電価格情報とを所定の割合で合成した評価指数情報を算出する。
【０２３２】
なお、本実施の形態４では、正規化した二酸化炭素排出量換算値と正規化した価格情報とを例えば２：８の割合で合成して評価指数情報を算出する。この合成割合は、予め決められていてもよいし、ユーザ端末１６を介してユーザにより設定されてもよい。ユーザにより設定される場合、「環境負荷」及び「価格」に関してユーザが重視している割合に基づく評価指数情報が算出される。
【０２３３】
ステップＳ９２の処理は、図１６のステップＳ５０の処理と同じであるので、説明を省略する。
【０２３４】
次に、ステップＳ９３において、蓄電価格予測部１０５は、評価指数算出部１２２によって算出された商用電源１８から供給される電力の評価指数情報と、発電予測部１０２によって予測された発電装置１２の所定の時間帯ごとの発電量と、発電価格予測部１０３によって予測された発電装置１２により発電された電力の評価指数情報と、充放電計画生成部１０４によって生成された蓄電装置１１の充放電計画に基づく充電又は放電される電力量とを基に、蓄電装置１１に充電されている電力の評価指数情報を演算することにより、蓄電装置１１に蓄電されている電力を使用したときの評価指数情報を所定の使用電力量ごと及び所定の時間帯ごとに予測する。
【０２３５】
次に、ステップＳ９４において、ユーザ価格表生成部１０７は、評価指数算出部１２２によって算出された発電装置１２で発電された電力の評価指数情報、発電価格予測部１０３によって予測された発電装置１２で発電された電力を使用したときの評価指数情報、及び蓄電価格予測部１０５によって予測された蓄電装置１１に蓄電されている電力を使用したときの評価指数情報を所定の使用電力量ごと及び所定の時間帯ごとに表すユーザ価格表を生成する。
【０２３６】
ステップＳ９５からステップＳ９７の処理は、図１６のステップＳ５３からステップＳ５５の処理と同じであるので、説明を省略する。また、実施の形態４に係るユーザ端末１６の動作は、実施の形態１に係るユーザ端末１６の動作と同じであるので、説明を省略する。
【０２３７】
図２６は、本発明の実施の形態４におけるユーザ価格表の一例を示す図である。なお、本実施の形態４における、発電装置の発電量の時間変化、蓄電装置の充放電計画及び宅内電力需要は、図９に示す実施の形態１における、発電装置の発電量の時間変化、蓄電装置の充放電計画及び宅内電力需要と同じである。
【０２３８】
商用電源１８から供給される電力の二酸化炭素排出量換算値は、商用電源１８が電力を供給するのにどのような発電手段を用いているかによって変化する。図２６の例の商用電源１８の場合、１３時から１６時の間の時間帯に二酸化炭素排出量換算値が高い発電手段が用いられる割合が高くなる為に、１３時から１６時の間の時間帯の商用電源１８から供給される電力の評価指数情報も高くなる。また、図２６の例の場合、発電装置１２で発電された電力の評価指数情報は０となる。
【０２３９】
そのため、図２６に示すように、通常時間帯の評価指数は、９．２〜１０．０となり、深夜時間帯の評価指数は、５．４となり、発電装置１２による発電電力の評価指数は、０となり、蓄電装置１１による蓄電電力の評価指数は、３．９〜５．４となる。
【０２４０】
このように、実施の形態４に係る情報処理システムでは、環境負荷を反映したユーザ価格表を生成することができ、ユーザは、環境負荷が反映されたユーザ価格表を確認することで、環境負荷が少ない時間帯に電気機器を使用することができる。
【０２４１】
なお、実施の形態４に係る情報処理システム５は、ユーザ端末１６を備えていなくてもよく、電気機器１７がユーザ端末１６の機能を有してもよい。
【０２４２】
なお、上述した具体的実施形態には以下の構成を有する発明が主に含まれている。
【０２４３】
本発明の一実施の形態に係る情報処理装置は、商用電源から供給される電力を使用して電気機器を稼動させたときの電気代である買電価格に関する情報を取得する取得部と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、前記買電価格、前記発電電力価格及び前記蓄電電力価格を任意の時間帯について表示可能な電力価格表を生成する電力価格表生成部と、を備える。
【０２４４】
この構成によれば、商用電源から供給される電力を使用して電気機器を稼動させたときの電気代である買電価格と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを任意の時間帯について表示可能な電力価格表が生成されるので、ユーザは、生成された電力価格表を確認することにより、より電気代を低減することが可能な時間帯を把握することができる。このため、ユーザの利便性とユーザの利益とを両立させる電力価格表を生成することができる。
【０２４５】
また、上記情報処理装置の一例において、前記取得部は、さらに、前記発電装置の運転履歴と、前記蓄電装置の運転履歴とを取得し、前記情報処理装置は、前記取得部によって取得された前記発電装置の前記運転履歴を用いて前記発電装置の発電量を予測する発電量予測部と、前記取得部によって取得された前記蓄電装置の前記運転履歴を用いて前記蓄電装置の運転計画を生成する運転計画生成部と、をさらに備え、前記価格決定部は、前記発電量予測部によって予測された前記発電量の予測値を用いて、前記発電電力価格を予測する発電価格予測部と、前記取得部によって取得された前記買電価格と、前記発電価格予測部によって予測された前記発電電力価格と、前記運転計画生成部によって生成された前記蓄電装置の前記運転計画とに基づいて、前記蓄電電力価格を予測する蓄電価格予測部と、を備える。
【０２４６】
この構成によれば、買電価格と、予測された発電電力価格と、予測された蓄電電力価格とを所定の時間帯ごとに表す電力価格表が生成されるので、ユーザは、生成された電力価格表を確認することにより、より電気代を低減することが可能な時間帯を把握することができる。このため、ユーザの利便性とユーザの利益とを両立させる電力価格表を生成することができる。
【０２４７】
また、上記情報処理装置の一例において、前記電力価格表生成部は、前記取得部によって取得された前記買電価格、前記発電価格予測部によって予測された前記発電電力価格、及び前記蓄電価格予測部によって予測された前記蓄電電力価格の中で最も安価な価格を指定された時間帯について表す電力価格表を生成する。
【０２４８】
この構成によれば、買電価格と、予測された発電電力価格と、予測された蓄電電力価格との中で最も安価な価格を指定された時間帯について表す電力価格表が生成されるので、ユーザは、生成された電力価格表を確認することにより、より電気代を低減することが可能な時間帯を把握することができる。このため、ユーザの利便性とユーザの利益とを両立させる電力価格表を生成することができる。
【０２４９】
また、上記情報処理装置の一例において、前記電力価格表生成部は、さらに、前記最も安価な価格を所定の使用電力量ごとに表す電力価格表を生成する。
【０２５０】
この構成によれば、商用電源から電力を買うときの買電価格と、発電装置で発電された電力を使用したときの発電電力価格と、蓄電装置に蓄電されている電力を使用したときの蓄電電力価格との中で最も安価な価格を所定の使用電力量ごとに表す電力価格表を生成することができる。
【０２５１】
また、上記情報処理装置の一例において、前記電力価格表生成部は、前記商用電源から供給される電力、前記発電装置によって発電された電力、及び前記蓄電装置に蓄電されている電力のうちで、より安価な電力が優先的に使用される場合における電力価格を所定の時間帯ごとに表す電力価格表を生成する。
【０２５２】
この構成によれば、商用電源から供給される電力、発電装置によって発電された電力、及び蓄電装置に蓄電されている電力のうちで、より安価な電力が優先的に使用される場合における電力価格を所定の時間帯ごとに表す電力価格表が生成されるので、ユーザは、生成された電力価格表を確認することにより、最も電気代を低減することが可能な時間帯を把握することができる。このため、ユーザの利便性とユーザの利益とを両立させる電力価格表を生成することができる。
【０２５３】
また、上記情報処理装置の一例において、前記取得部は、ユーザ宅内にある電気機器が使用する電力の使用履歴を取得し、前記取得部によって取得された前記使用履歴を用いて前記ユーザ宅内にある電気機器の電力需要を予測する需要予測部をさらに備え、前記電力価格表生成部は、前記需要予測部によって予測された前記ユーザ宅内にある電気機器の電力需要の予測結果を前記電力価格表に重畳させる。
【０２５４】
この構成によれば、取得部によって、ユーザ宅内にある電気機器が使用する電力の使用履歴が取得される。需要予測部によって、取得部により取得された使用履歴を用いてユーザ宅内にある電気機器の電力需要が予測される。電力価格表生成部によって、需要予測部により予測されたユーザ宅内にある電気機器の電力需要の予測結果が電力価格表に重畳される。
【０２５５】
したがって、ユーザ宅内にある電気機器の電力需要の予測結果が電力価格表に重畳されるので、ユーザは、生成された電力価格表を確認することにより、電力価格と、電力需要の予測結果とを同時に把握することができる。
【０２５６】
また、上記情報処理装置の一例において、前記電力価格表生成部は、ユーザ宅内にある電気機器のうち、動作時間をずらすことが可能な対象電気機器を動作させるために必要な電力、前記対象電気機器を動作させる動作時間及び前記対象電気機器を示す情報を、前記電力需要の予測結果とともに前記電力価格表に重畳させる。
【０２５７】
この構成によれば、電力価格表生成部によって、ユーザ宅内にある電気機器のうち、動作時間をずらすことが可能な対象電気機器を動作させるために必要な電力、対象電気機器を動作させる動作時間及び対象電気機器を示す情報が２次元の図形として、電力需要の予測結果とともに電力価格表に重畳される。
【０２５８】
したがって、ユーザは、生成された電力価格表を確認することにより、動作時間をずらすことが可能な対象電気機器を動作させるために必要な電力、対象電気機器を動作させる動作時間及び対象電気機器を把握することができ、また、動作時間をずらした場合に使用電力価格がどの程度になるかを把握することができ、所望の時間に対象電気機器の動作時間をずらすことができる。
【０２５９】
また、上記情報処理装置の一例において、前記電力価格表生成部は、前記対象電気機器の動作時間が変更された場合、前記対象電気機器の変更後の動作時間を示す情報を、前記電力需要の予測結果とともに前記電力価格表に重畳させる。
【０２６０】
この構成によれば、対象電気機器の動作時間が変更された場合、電力価格表生成部によって、対象電気機器の変更後の動作時間を示す情報が、電力需要の予測結果とともに電力価格表に重畳される。
【０２６１】
したがって、ユーザは、対象電気機器の変更後の動作時間を確認するとともに、対象電気機器が使用する電力の価格を確認することができる。
【０２６２】
また、上記情報処理装置の一例において、前記電力価格表生成部は、前記電力価格表の前記電力需要の予測結果に対応する部分の電力価格を前記所定の時間帯よりもさらに細かな時間帯ごとに表す。
【０２６３】
この構成によれば、電力価格表生成部によって、電力価格表の電力需要の予測結果に対応する部分の電力価格が所定の時間帯よりもさらに細かな時間帯ごとに表されるので、動作時間をずらすことが可能な対象電気機器の動作時間をずらした場合の使用電力価格の予測精度を向上させることができる。
【０２６４】
また、上記情報処理装置の一例において、前記電力価格表生成部は、前記発電予測部によって予測された前記発電装置の発電量及び前記運転計画生成部によって生成された前記蓄電装置の運転計画に基づいて、前記発電装置が発電しない時間帯及び前記蓄電装置が放電しない時間帯については、前記買電価格を前記電力価格表に表し、前記発電装置及び前記蓄電装置のいずれか一方が動作する時間帯については、当該動作する装置の電力、及び前記商用電源から供給される電力のうちで、より安価な電力価格を前記電力価格表に表す。
【０２６５】
この構成によれば、発電装置が発電しない時間帯及び蓄電装置が放電しない時間帯については、買電価格を電力価格表に表すことができ、発電装置及び蓄電装置のいずれか一方が動作する時間帯については、当該動作する装置の電力、及び商用電源から供給される電力のうちで、より安価な電力価格を電力価格表に表すことができる。
【０２６６】
また、上記情報処理装置の一例において、前記電力価格表生成部は、前記買電価格、前記発電電力価格、及び前記蓄電電力価格をそれぞれ異なる色で色分けした前記電力価格表を生成する。
【０２６７】
この構成によれば、買電価格、発電電力価格、及び蓄電電力価格をそれぞれ異なる色で色分けした電力価格表が生成される。
【０２６８】
したがって、買電価格、発電装置で発電された電力を使用したときの電力価格、及び蓄電装置に蓄電されている電力を使用したときの電力価格がそれぞれ異なる色で表示されるので、ユーザの視認性を向上させることができる。
【０２６９】
また、上記情報処理装置の一例において、表示部を備える機器に前記電力価格表生成部によって生成された前記電力価格表を送信する送信部をさらに備える。
【０２７０】
この構成によれば、表示部を備える機器に電力価格表が送信されるので、ユーザは、情報処理装置から離れた場所で、電力価格表を確認することができる。
【０２７１】
また、上記情報処理装置の一例において、前記電力価格表生成部によって生成された前記電力価格表を表示する表示部をさらに備える。
【０２７２】
この構成によれば、表示部によって、電力価格表生成部により生成された電力価格表が表示されるので、ユーザは、電力価格表を確認することができる。
【０２７３】
本発明の一実施の形態に係る電力価格表の生成方法は、商用電源から供給される電力を使用して電気機器を稼動させたときの電気代である買電価格に関する情報を取得するステップと、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定するステップと、前記買電価格、前記発電電力価格及び前記蓄電電力価格を任意の時間帯について表示可能な電力価格表を生成するステップと、を含む。
【０２７４】
本発明の一実施の形態に係る情報処理システムは、情報処理装置と、前記情報処理装置とネットワークを介して通信可能に接続された表示装置とを備える情報処理システムであって、前記情報処理装置は、商用電源から供給される電力を使用して電気機器を稼動させたときの電気代である買電価格に関する情報を取得する取得部と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、前記買電価格、前記発電電力価格及び前記蓄電電力価格を任意の時間帯について表示可能な電力価格表を生成する電力価格表生成部と、前記電力価格表生成部によって生成された前記電力価格表を、前記ネットワークを介して前記表示装置に送信する送信部と、を備え、前記表示装置は、前記ネットワークを介して前記電力価格表を受信する受信部と、前記電力価格表生成部によって生成された前記電力価格表を表示する表示部と、を備える。
【０２７５】
本発明の一実施の形態に係る表示装置は、商用電源から供給される電力を使用して電気機器を稼動させたときの電気代である買電価格に関する情報を取得する取得部と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを各時間帯について決定する価格決定部と、前記買電価格、前記発電電力価格、及び、前記蓄電電力価格を任意の時間帯について表示可能な電力価格表を生成する電力価格表生成部と、を備える情報処理装置とネットワークを介して通信可能に接続された表示装置であって、前記表示装置は、前記ネットワークを介して前記電力価格表を受信する受信部と、前記受信部で受信した前記電力価格表を表示する表示部と、を備える。
【０２７６】
この構成によれば、商用電源から供給される電力を使用して電気機器を稼動させたときの電気代である買電価格と、自然エネルギーを利用して発電する発電装置の発電電力を使用して電気機器を稼動させたときの電気代である発電電力価格と、蓄電装置に蓄電されている電力を使用して電気機器を稼動させたときの電気代である蓄電電力価格とを任意の時間帯について表示可能な電力価格表が表示されるので、ユーザは、生成された電力価格表を確認することにより、より電気代を低減することが可能な時間帯を把握することができる。このため、ユーザの利便性とユーザの利益とを両立させる電力価格表を表示することができる。
【０２７７】
また、上記表示装置の一例において、前記表示装置は、前記表示部に表示された前記電力価格表の中から、各時間帯について前記商用電源、前記発電装置、及び前記蓄電装置のいずれの電力を使用するかを受付ける入力部と、前記入力部によって指定された電力の使用を前記情報処理装置に通知するための通知信号を、前記ネットワークを介して送信する送信部とを、さらに備える。
【０２７８】
この構成によれば、表示された電力価格表の中から、各時間帯について商用電源、発電装置、及び蓄電装置のいずれの電力を使用するかが受付けられるので、ユーザは、より電気代を低減することが可能な電力を使用することができる。
【０２７９】
また、上記表示装置の一例において、前記入力部は、ユーザのタッチパネルの操作によりいずれの電力を使用するかを検出する。
【０２８０】
この構成によれば、ユーザのタッチパネルの操作によりいずれの電力を使用するかが検出されるので、ユーザは、表示された電力価格表の中から、各時間帯について商用電源、発電装置、及び蓄電装置のいずれの電力を使用するかを容易に選択することができる。
【０２８１】
また、上記表示装置の一例において、前記入力部は、外部のリモートコントローラから送信される外部信号を受信することによりいずれの電力を使用するかを検出する。
【０２８２】
この構成によれば、外部のリモートコントローラから送信される外部信号を受信することによりいずれの電力を使用するかが検出されるので、ユーザは、表示された電力価格表の中から、各時間帯について商用電源、発電装置、及び蓄電装置のいずれの電力を使用するかを容易に選択することができる。
【０２８３】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０２８４】
本発明に係る情報処理装置、電力価格表の生成方法、情報処理システム及び表示装置は、ユーザの利便性とユーザの利益とを両立させる電力価格表を生成することができ、商用電源から供給される電力を使用したときの電力価格、発電装置で発電された電力を使用したときの電力価格、及び蓄電装置に蓄電されている電力を使用したときの電力価格を表示するための電力価格表を生成する情報処理装置、電力価格表の生成方法、情報処理システム及び表示装置に有用である。
【図１】
2013094146.tif 000005
【図２】
2013094146.tif 000006
【図３】
2013094146.tif 000007
【図４】
2013094146.tif 000008
【図５】
2013094146.tif 000009
【図６】
2013094146.tif 000010
【図７】
2013094146.tif 000011
【図８】
2013094146.tif 000012
【図９】
2013094146.tif 000013
【図１０】
2013094146.tif 000014
【図１１】
2013094146.tif 000015
【図１２】
2013094146.tif 000016
【図１３】
2013094146.tif 000017
【図１４】
2013094146.tif 000018
【図１５】
2013094146.tif 000019
【図１６】
2013094146.tif 000020
【図１７】
2013094146.tif 000021
【図１８】
2013094146.tif 000022
【図１９】
2013094146.tif 000023
【図２０】
2013094146.tif 000024
【図２１】
2013094146.tif 000025
【図２２】
2013094146.tif 000026
【図２３】
2013094146.tif 000027
【図２４】
2013094146.tif 000028
【図２５】
2013094146.tif 000029
【図２６】
2013094146.tif 000030
【国際調査報告】
2013094146.tif 000031
2013094146.tif 000032
2013094146.tif 000033
2013094146.tif 000034